(57)【特許請求の範囲】
【請求項１】
第１の映像を処理する第１のユニットと、第２の映像を処理する第２のユニットとを備え、
上記第１のユニットは、
上記第１の映像を生成する第１の映像生成手段と、
上記第２のユニットから送信された上記第２の映像を受信する映像受信手段と、
上記第１の映像および上記第２の映像の少なくともいずれか一方を表示する映像表示手段と、
上記第２のユニットから送信された、上記第２のユニットの動作モードを表す動作モード情報を受信する動作モード受信手段と、
上記動作モード受信手段が上記動作モード情報を受信したとき、受信した上記動作モード情報に基づいて、上記第２の映像の生成を制御するための制御情報を上記第２のユニットに送信する制御情報送信手段とを備え、
上記第２のユニットは、
上記第１のユニットから送信された上記制御情報を受信する制御情報受信手段と、
上記受信された制御情報に基づき、上記第２の映像を生成する第２の映像生成手段と、
上記第２の映像を上記第１のユニットに送信する映像送信手段と、
上記動作モード情報を上記第１のユニットに送信する動作モード送信手段とを備え、
上記第１の映像生成手段が上記第１の映像を生成し、上記映像受信手段が上記第２の映像を受信したとき、上記映像表示手段に上記第１の映像と上記第２の映像とを同時表示し
上記動作モード送信手段は、上記動作モード情報として、ユーザからの上記第２のユニットを操作する操作入力を所定時間受け付けていないことを表す第１の動作モード情報を上記第１のユニットに送信し、
上記制御情報送信手段は、上記動作モード受信手段が上記第１の動作モード情報を受信したとき、上記第２の映像を生成しないことを示す情報を、上記制御情報として上記第２のユニットに送信する
ことを特徴とする映像表示装置。
【請求項２】
上記動作モード送信手段は、上記第１の動作モード情報を上記第１のユニットに送信してから、さらに所定時間ユーザからの上記第２のユニットを操作する操作入力を受け付けていないことを表す第２の動作モード情報を、上記動作モード情報として上記第１のユニットに送信し、
上記制御情報送信手段は、上記動作モード受信手段が上記第１の動作モード情報を受信した後に上記第２の動作モード情報を受信したとき、上記第２の映像を生成しないことを示す情報を、上記制御情報として上記第２のユニットに送信することを特徴とする請求項１に記載の映像表示装置。
【請求項３】
上記動作モード送信手段は、上記動作モード情報として、ユーザからの上記第２のユニットを操作する操作入力を所定時間受け付けていないことを表す第１の動作モード情報を上記第１のユニットに送信し、
上記第１のユニットは、上記動作モード受信手段が上記第１の動作モード情報を受信したとき、上記第２のユニットが待機状態であることを表示する動作モード表示手段をさらに備えていることを特徴とする請求項１に記載の映像表示装置。
【請求項４】
上記動作モード送信手段は、上記第１の動作モード情報を上記第１のユニットに送信してから、さらに所定時間ユーザからの上記第２のユニットを操作する操作入力を受け付けていないことを表す第２の動作モード情報を、上記動作モード情報として上記第１のユニットに送信し、
上記動作モード表示手段は、上記動作モード受信手段が上記第１の動作モード情報を受信した後に上記第２の動作モード情報を受信したとき、上記第２のユニットが休止状態であることを表示することを特徴とする請求項３に記載の映像表示装置。
【請求項５】
上記第１のユニットは、ユーザからの上記第１の映像の表示開始時刻の入力を表す第１の入力信号を受信する第１の入力信号受信手段をさらに備え、
上記第１の映像生成手段は、ユーザから入力された上記表示開始時刻であることを示す開始時刻通知映像を上記第１の映像として生成し、
上記映像表示手段は、ユーザから入力された上記表示開始時刻に、上記開始時刻通知映像を上記第１の映像として、上記第２の映像と共に表示することを特徴とする請求項１〜４のいずれか１項に記載の映像表示装置。
【請求項６】
上記第２のユニットは、
上記第２の映像の表示中に、ユーザからの上記第１の映像の表示を要求する入力を表す第２の入力信号を受信する第２の入力信号受信手段と、
上記第２の入力信号を上記第１のユニットに送信する操作信号送信手段とをさらに備え、
上記第１のユニットは、
上記操作信号送信手段から送信された上記第２の入力信号を受信する操作信号受信手段をさらに備え、
上記映像表示手段は、上記操作信号受信手段が上記第２の入力信号を受信したとき、上記第１の映像と上記第２の映像とを表示することを特徴とする請求項１〜５のいずれか１項に記載の映像表示装置。
【請求項７】
上記第１のユニットは、放送波を受信する放送波受信手段をさらに備え、
上記第１の映像生成手段は、上記放送波受信手段により受信された放送波をデコードして上記第１の映像を生成することを特徴とする請求項１〜６のいずれか１項に記載の映像表示装置。
【請求項８】
上記第２のユニットは、ソフトウェアアプリケーションを実行する実行手段をさらに備え、
上記第２の映像生成手段は、上記ソフトウェアアプリケーションの実行時に生成される映像を、上記第２の映像として生成することを特徴とする請求項１〜７のいずれか１項に記載の映像表示装置。
【請求項９】
請求項１〜８のいずれか１項に記載の映像表示装置を動作させるプログラムであって、コンピュータを上記の各手段として機能させるためのプログラム。
【請求項１０】
請求項９に記載のプログラムを記録しているコンピュータ読み取り可能な記録媒体。
【発明の詳細な説明】
【技術分野】
【０００１】
本発明は、複数のユニットによって構成される映像表示装置、プログラム、および記録媒体に関する。
【背景技術】
【０００２】
近年、放送番組を視聴しながら、同一画面上で別の映像を見たいという要望が、視聴者の間に高まっている。これを背景に、子画面を用いて放送番組以外の他の映像を表示する技術が色々と提案されている。
【０００３】
特許文献１には、テレビ画面とインターネットに接続して得られたブラウザ画面を同時にディスプレイに表示する映像表示装置が開示されている。
【０００４】
特許文献２には、デジタル放送を高解像度で短時間に視聴すると共に、ユーザのＴＶ／ＰＣ機能をシームレスに選択できるテレビ機能付きパーソナルコンピュータが開示されている。
【０００５】
特許文献３には、ＰＣの負荷を増加することなくテレビや録画番組の視聴ができ、ＰＣ作業中にＰＣモニタ上の任意の位置にオーバーレイ表示によるテレビ画像を小画面表示することができると共に、作業域とテレビのオーバーレイ領域が重なり操作性が悪くなった場合にも、作業域を任意の位置へ移動させ、かつ任意の大きさに変更することができ、操作性を大幅に改善することができる画像処理装置が開示されている。
【０００６】
特許文献４には、本体部にＴＶ用の電源ボタンと、ＰＣ用の電源ボタンとをそれぞれ個別に備え、操作パネルに設けたモード切り替えボタンによりＴＶ機能とＰＣ機能とを切り替える画像出力装置が開示されている。
【０００７】
特許文献５には、テレビの表示部に、テレビ画像を表示すると共に、インターネットブラウザのユーザインターフェースを表示する、インターネット接続機能を有するテレビジョン受像機が開示されている。
【先行技術文献】
【特許文献】
【０００８】
【特許文献１】特開２００８−０７２２２２号公報（公開日：２００８年４月３日）
【特許文献２】特開２００３−２４４４７４号公報（公開日：２００６年１１月９日）
【特許文献３】特開２００８−６５２１８号公報（公開日：２００７年１１月２９日）
【特許文献４】特開２００５−３０３９３５号公報（公開日：２００５年１０月２７日）
【特許文献５】ＷＯ２００７／００４３７１号公報（公開日：２００７年１月１１日）
【発明の概要】
【発明が解決しようとする課題】
【０００９】
しかし、上述した従来技術には次のような問題がある。
【００１０】
特許文献１の技術では、ブラウザ機能をテレビ装置の中で実現している。この構成では、テレビ装置のソフトウェアおよびハードウェアは、コンピュータのそれらに比べて貧弱であるため、限られたサービスしか処理できない。特に、インターネットを通じて提供されるサービスは日々進化しているため、特許文献１の技術では、オンラインゲームおよび動画再生サービスなど処理に多大な負荷を要する数多くのサービスには対応できない。その結果、ユーザに対して極僅かなサービスを提供できるに留まる。特許文献２の技術にも同様の問題がある。
【００１１】
特許文献３の技術では、テレビと外部ＰＣとを接続することによって、テレビ画面とＰＣ画面とを混在させて表示する。この技術では、別体の２つの装置を互いに接続するため、配線等が複雑になる。結果、装置の設置および持ち運びが面倒なものとなる。また、テレビ放送の処理とコンピュータの処理とが互いに無関係に動作しているため、それぞれを別々の操作装置で操作せざるを得ない。また、両者の連携を実現することは困難である。
【００１２】
特許文献４の技術では、ＴＶチューナーの電源ボタンと、ＰＣの電源ボタンとが別個に設けられているため、ユーザはＴＶを視聴しているときにＰＣを使用するためには、ＰＣの電源をオンにしてＰＣが起動するのを待たなければならない。一般的にＰＣは起動するのに時間を要するため、ユーザが即座にＰＣを使用したい場合には不満が生じることになる。
【００１３】
特許文献５に記載の技術では、ＴＶ用のリモコン等を利用してインターネット機能を利用するものであり、操作できる範囲が制限される上に、ユーザがインターネット機能を利用しないときにも、インターネットブラウザのユーザインターフェースを表示するので、利用していない機能を稼働するための電力を無駄に消費することになる。
【００１４】
このように、特許文献１〜５に記載の技術では、２つの異なるユニット間の親和性が低く、一方のユニットの操作によって２つの異なるユニットを効率よく連携して動作させることができない。また、２つの異なるユニットそれぞれの動作モードをユーザが容易に把握することができないので、ユーザビリティが低い。
【００１５】
本発明は、上記の問題点に鑑みてなされたものであり、その目的は、２つの異なるユニット間の親和性を高め、ユーザビリティが向上した映像表示装置、プログラムおよび記録媒体を提供することにある。
【課題を解決するための手段】
【００１６】
本発明に係る映像表示装置は、第１の映像を処理する第１のユニットと、第２の映像を処理する第２のユニットとを備え、上記第１のユニットは、上記第１の映像を生成する第１の映像生成手段と、上記第２のユニットから送信された上記第２の映像を受信する映像受信手段と、上記第１の映像および上記第２の映像の少なくともいずれか一方を表示する映像表示手段と、上記第２のユニットから送信された、上記第２のユニットの動作モードを表す動作モード情報を受信する動作モード受信手段と、上記動作モード受信手段が上記動作モード情報を受信したとき、受信した上記動作モード情報に基づいて、上記第２の映像の生成を制御するための制御情報を上記第２のユニットに送信する制御情報送信手段とを備え、上記第２のユニットは、上記第１のユニットから送信された上記制御情報を受信する制御情報受信手段と、上記受信された制御情報に基づき、上記第２の映像を生成する第２の映像生成手段と、上記第２の映像を上記第１のユニットに送信する映像送信手段と、上記動作モード情報を上記第１のユニットに送信する動作モード送信手段とを備えていることを特徴としている。
【００１７】
上記の構成によれば、映像表示装置において、第１のユニットと第２のユニットとは制御情報を通じて互いに連携して動作する。第１のユニットは例えばテレビジョン機能を有し、一方、第２のユニットは例えばコンピュータ機能を有する。映像表示装置において、映像表示手段は、第１のユニットが生成した第１の映像と第２のユニットが生成した第２の映像とを表示する。ここで、第１のユニットは、第２のユニットから送信された、第２のユニットの動作モードを表す動作モード情報を受信し、当該動作モード情報に基づいて、第２の映像の生成を制御するための制御情報を第２のユニットに送信する。そして、第２の映像生成手段は、この制御情報に基づいて第２の映像を生成する。
【００１８】
すなわち、第２のユニットの動作モードを第１のユニットにおいて監視し、第２のユニットの動作モードに基づいて生成した映像を表示するので、ユーザによる２つの異なるユニットそれぞれの動作モードの把握が容易であり、ユーザの操作性を向上させることができる。また、２つの異なるユニットの親和性を高め、第１のユニットの操作によって両者を連携して動作させることができる。
【００１９】
また、本発明に係る映像表示装置において、上記動作モード送信手段は、上記動作モード情報として、ユーザからの上記第２のユニットを操作する操作入力を所定時間受け付けていないことを表す第１の動作モード情報を上記第１のユニットに送信し、上記制御情報送信手段は、上記動作モード受信手段が上記第１の動作モード情報を受信したとき、上記第２のユニットが待機状態であることを示す映像を上記第２の映像として生成するための情報を、上記制御情報として上記第２のユニットに送信することが好ましい。
【００２０】
上記の構成によれば、第２のユニットは、第２のユニットの動作モードが待機状態であることを第１のユニットに通知し、第１のユニットは、第２のユニットが待機状態であることに基づいて、第２の映像の生成を制御する。すなわち、第１のユニットは、第２のユニットが待機状態であることを表す映像を第２の映像として生成するための制御情報を第２のユニットに送信する。そして、映像表示手段は、第２のユニットが生成した、第２のユニットが待機状態であることを表す映像を、第２の映像として表示する。これにより、ユーザは第２のユニットが待機状態であることを容易に把握することが可能であり、ユーザの操作性を向上させることができる。
【００２１】
また、本発明に係る映像表示装置において、上記動作モード送信手段は、上記第１の動作モード情報を上記第１のユニットに送信してから、さらに所定時間ユーザからの上記第２のユニットを操作する操作入力を受け付けていないことを表す第２の動作モード情報を、上記動作モード情報として上記第１のユニットに送信し、上記制御情報送信手段は、上記動作モード受信手段が上記第１の動作モード情報を受信した後に上記第２の動作モード情報を受信したとき、上記第２のユニットが休止状態であることを示す映像を上記第２の映像として生成するための情報を、上記制御情報として上記第２のユニットに送信することが好ましい。
【００２２】
上記の構成によれば、第２のユニットは、第２のユニットの動作モードが休止状態であることを第１のユニットに通知し、第１のユニットは、第２のユニットが休止状態であることに基づいて、第２の映像の生成を制御する。すなわち、第１のユニットは、第２のユニットが休止状態であることを表す映像を第２の映像として生成するための制御情報を第２のユニットに送信する。そして、映像表示手段は、第２のユニットが生成した、第２のユニットが休止状態であることを表す映像を、第２の映像として表示する。これにより、ユーザは第２のユニットが休止状態であることを容易に把握することが可能であり、ユーザの操作性を向上させることができる。
【００２３】
また、本発明に係る映像表示装置において、上記映像表示手段は、表示サイズ、輝度および配色の少なくともいずれか１つが、上記第２の映像と上記第１の映像とで異なるように表示することが好ましい。さらに、本発明に係る映像表示装置において、上記映像表示手段は、上記第２の映像をぼかし処理して表示することが好ましい。さらにまた、本発明に係る映像表示装置において、上記映像表示手段は、上記第２の映像を上記第１の映像の周囲に表示することが好ましい。
【００２４】
上記の構成によれば、映像表示手段は、第１の映像と第２の映像とを異なる表示形式で表示するので、ユーザは第２のユニットの動作モードをより容易に把握することが可能である。また、第２の映像は第２のユニットの動作モードが把握できるように表示されていればよいので、例えば省電力で表示できる表示形式で表示することによって、映像表示装置において消費する電力を低減することができる。
【００２５】
また、本発明に係る映像表示装置において、上記映像表示手段は、上記第２の映像として、上記第２のユニットが待機状態であることを示す文字列を含む映像を表示することが好ましい。さらに、本発明に係る映像表示装置において、上記映像表示手段は、上記第２の映像として、上記第２のユニットが休止状態であることを示す文字列を含む映像を表示することが好ましい。
【００２６】
上記の構成によれば、映像表示手段は第２のユニットの動作モードを通知する文字列を表示するので、ユーザは第２のユニットの動作モードをより容易に把握することが可能である。
【００２７】
また、本発明に係る映像表示装置において、上記動作モード送信手段は、上記第１の動作モード情報を上記第１のユニットに送信した後に、ユーザからの上記第２のユニットを操作する操作入力を受け付けたことを表す第３の動作モード情報を上記第１のユニットに送信し、上記制御情報送信手段は、上記動作モード受信手段が上記第１の動作モード情報を受信した後に上記第３の動作モード情報を受信したとき、上記第２の映像を生成するための情報を、上記制御情報として上記第２のユニットに送信することが好ましい。
【００２８】
上記の構成によれば、第２のユニットが待機状態であるときにユーザからの第２のユニットに対する操作入力を受け付けたとき、第２のユニットは待機状態から通常の動作モードに復帰し、第１のユニットに通知する。そして、制御情報送信手段は第２の映像を生成するための情報を制御情報として第２のユニットに送信し、映像表示手段は第２のユニットが生成した第２の映像を表示する。これにより、ユーザは第２のユニットが待機状態から通常の動作モードに復帰したことを容易に把握することが可能であり、ユーザの操作性を向上させることができる。
【００２９】
また、本発明に係る映像表示装置において、上記動作モード送信手段は、上記第２の動作モード情報を上記第１のユニットに送信した後に、ユーザからの上記第２のユニットを操作する操作入力を受け付けたことを表す第３の動作モード情報を上記第１のユニットに送信し、上記制御情報送信手段は、上記動作モード受信手段が上記第２の動作モード情報を受信した後に上記第３の動作モード情報を受信したとき、上記第２の映像を生成するための情報を、上記制御情報として上記第２のユニットに送信することが好ましい。
【００３０】
上記の構成によれば、第２のユニットが休止状態であるときにユーザからの第２のユニットに対する操作入力を受け付けたとき、第２のユニットは休止状態から通常の動作モードに復帰し、第１のユニットに通知する。そして、制御情報送信手段は第２の映像を生成するための情報を制御情報として第２のユニットに送信し、映像表示手段は第２のユニットが生成した第２の映像を表示する。これにより、ユーザは第２のユニットが休止状態から通常の動作モードに復帰したことを容易に把握することが可能であり、ユーザの操作性を向上させることができる。
【００３１】
また、本発明に係る映像表示装置において、上記動作モード送信手段は、上記動作モード情報として、ユーザからの上記第２のユニットを操作する操作入力を所定時間受け付けていないことを表す第１の動作モード情報を上記第１のユニットに送信し、上記制御情報送信手段は、上記動作モード受信手段が上記第１の動作モード情報を受信したとき、上記第２の映像を生成しないことを示す情報を、上記制御情報として上記第２のユニットに送信することが好ましい。
【００３２】
上記の構成によれば、第２のユニットは、第２のユニットの動作モードが待機状態であることを第１のユニットに通知し、第１のユニットは、第２のユニットが待機状態であることに基づいて、第２の映像を生成しないように制御する。すなわち、第１のユニットは、第２の映像を生成しないことを示す情報を制御情報として第２のユニットに送信する。したがって、映像表示手段は、第２のユニットが待機状態であるとき、第２の映像を表示しない。このように、ユーザが第２のユニットを所定時間使用しないときには、第２の映像を生成しないので、第２の映像の生成において消費される電力を低減することが可能である。また、第２の映像を表示せずに第１の映像のみを表示するので、ユーザによる第１の映像の視聴を妨げない。
【００３３】
また、本発明に係る映像表示装置において、上記動作モード送信手段は、上記第１の動作モード情報を上記第１のユニットに送信してから、さらに所定時間ユーザからの上記第２のユニットを操作する操作入力を受け付けていないことを表す第２の動作モード情報を、上記動作モード情報として上記第１のユニットに送信し、上記制御情報送信手段は、上記動作モード受信手段が上記第１の動作モード情報を受信した後に上記第２の動作モード情報を受信したとき、上記第２の映像を生成しないことを示す情報を、上記制御情報として上記第２のユニットに送信することが好ましい。
【００３４】
上記の構成によれば、第２のユニットは、第２のユニットの動作モードが休止状態であることを第１のユニットに通知し、第１のユニットは、第２のユニットが休止状態であることに基づいて、第２の映像を生成しないように制御する。すなわち、第１のユニットは、第２の映像を生成しないことを示す情報を制御情報として第２のユニットに送信する。したがって、映像表示手段は、第２のユニットが待機状態であるとき、第２の映像を表示しない。このように、ユーザが第２のユニットを所定時間使用しないときには、第２の映像を生成しないので、第２の映像の生成において消費される電力を低減することが可能である。また、第２の映像を表示せずに第１の映像のみを表示するので、ユーザによる第１の映像の視聴を妨げない。
【００３５】
また、本発明に係る映像表示装置において、上記動作モード送信手段は、上記動作モード情報として、ユーザからの上記第２のユニットを操作する操作入力を所定時間受け付けていないことを表す第１の動作モード情報を上記第１のユニットに送信し、上記第１のユニットは、上記動作モード受信手段が上記第１の動作モード情報を受信したとき、上記第２のユニットが待機状態であることを表示する動作モード表示手段をさらに備えていることが好ましい。さらに、本発明に係る映像表示装置において、上記動作モード送信手段は、上記第１の動作モード情報を上記第１のユニットに送信してから、さらに所定時間ユーザからの上記第２のユニットを操作する操作入力を受け付けていないことを表す第２の動作モード情報を、上記動作モード情報として上記第１のユニットに送信し、上記動作モード表示手段は、上記動作モード受信手段が上記第１の動作モード情報を受信した後に上記第２の動作モード情報を受信したとき、上記第２のユニットが休止状態であることを表示することが好ましい。
【００３６】
上記の構成によれば、第２のユニットの動作モードを、例えばＬＥＤ表示装置のような動作モード表示手段に、他の動作モードの場合とは異なるように表示するので、ユーザは第２のユニットの動作モードをより容易に把握することが可能である。
【００３７】
また、本発明に係る映像表示装置において、上記第１のユニットは、ユーザからの上記第１の映像の表示開始時刻の入力を表す第１の入力信号を受信する第１の入力信号受信手段をさらに備え、上記第１の映像生成手段は、ユーザから入力された上記表示開始時刻であることを示す開始時刻通知映像を上記第１の映像として生成し、上記映像表示手段は、ユーザから入力された上記表示開始時刻に、上記開始時刻通知映像を上記第１の映像として、上記第２の映像と共に表示することが好ましい。
【００３８】
上記の構成によれば、ユーザは予め第１の映像の表示開始時刻を入力し、この時刻に表示開始時刻であることを通知する映像が表示されるので、ユーザは第１の映像の表示開始時刻を容易に把握することができる。すなわち、第２のユニットを使用中であっても、第１のユニットに生じるイベントを把握することができるので、ユーザの操作性が向上する。
【００３９】
また、本発明に係る映像表示装置において、上記第２のユニットは、上記第２の映像の表示中に、ユーザからの上記第１の映像の表示を要求する入力を表す第２の入力信号を受信する第２の入力信号受信手段と、上記第２の入力信号を上記第１のユニットに送信する操作信号送信手段とをさらに備え、上記第１のユニットは、上記操作信号送信手段から送信された上記第２の入力信号を受信する操作信号受信手段をさらに備え、上記映像表示手段は、上記操作信号受信手段が上記第２の入力信号を受信したとき、上記第１の映像と上記第２の映像とを表示することが好ましい。
【００４０】
上記の構成によれば、映像表示手段は、第２の映像のみが表示されている状態であっても、ユーザが第１の映像の表示を要求すれば、第１の映像と第２の映像とを表示するので、２つの異なるユニットの親和性を高め、第１のユニットの操作によって両者を連携して動作させることができる。
【００４１】
本発明に係る映像表示装置において、上記第１のユニットは、放送波を受信する放送波受信手段をさらに備え、上記第１の映像生成手段は、上記放送波受信手段により受信された放送波をデコードして上記第１の映像を生成することが好ましい。
【００４２】
上記の構成によれば、第１のユニットが放送番組に含まれる映像を表示できる。その結果、映像表示装置をテレビジョン装置の一種として実現できる。
【００４３】
本発明に係る映像表示装置において、上記第２のユニットは、ソフトウェアアプリケーションを実行する実行手段をさらに備え、上記第２の映像生成手段は、上記ソフトウェアアプリケーションの実行時に生成される映像を、上記第２の映像として生成することが好ましい。
【００４４】
上記の構成によれば、第２のユニットが汎用コンピュータとしての機能を有する。その結果、映像表示装置を、コンピュータ機能を有する装置として実現できる。特に、第１のユニットが放送番組に含まれる映像の表示機能を有する場合、映像表示装置は、コンピュータ内蔵のテレビジョン装置として実現できる。
【００４５】
本発明に係る映像表示装置において、上記第１のユニットは、放送波を受信する放送波受信手段をさらに備え、上記制御情報送信手段は、上記動作モード受信手段が上記第２の動作モード情報を受信した後に、上記放送波受信手段が上記放送波を受信したとき、上記第２の映像を生成するための情報を制御情報として上記第２のユニットに送信することが好ましい。
【００４６】
上記の構成によれば、第１のユニットにおけるイベントの発生に応じて、第２のユニットを休止状態から通常モードに復帰させて、第２の映像を表示させるので、２つの異なるユニットの親和性を高め、第１のユニットの操作によって両者を連携して動作させることができる。
【００４７】
本発明に係る映像表示装置において、上記第２のユニットは、上記制御情報受信手段が受信した上記制御情報に基づいてソフトウェアアプリケーションを実行する実行手段をさらに備え、上記制御情報送信手段は、上記動作モード受信手段が上記第２の動作モード情報を受信した後に、上記放送波受信手段が上記放送波を受信したとき、上記ソフトウェアアプリケーションを実行させるための情報を、上記制御情報として上記第２のユニット送信することが好ましい。
【００４８】
上記の構成によれば、第１のユニットにおけるイベントの発生に応じて、第２のユニットを休止状態から通常モードに復帰させて、第２の映像を表示させ、かつ第２のユニットの復帰に伴って所定のアプリケーションを実行するので、２つの異なるユニットの親和性を高め、第１のユニットの操作によって両者を連携して動作させることができる。
【００４９】
なお、上記映像表示装置は、コンピュータによって実現してもよい。この場合、コンピュータを上記各手段として動作させることにより上記映像表示装置をコンピュータにおいて実現するプログラム、およびそのプログラムを記録したコンピュータ読み取り可能な記録媒体も、本発明の範疇に入る。
【発明の効果】
【００５０】
以上のように、本発明に係る映像表示装置は、第１の映像を処理する第１のユニットと、第２の映像を処理する第２のユニットとを備え、上記第１のユニットは、上記第１の映像を生成する第１の映像生成手段と、上記第２のユニットから送信された上記第２の映像を受信する映像受信手段と、上記第１の映像および上記第２の映像の少なくともいずれか一方を表示する映像表示手段と、上記第２のユニットから送信された、上記第２のユニットの動作モードを表す動作モード情報を受信する動作モード受信手段と、上記動作モード受信手段が上記動作モード情報を受信したとき、受信した上記動作モード情報に基づいて、上記第２の映像の生成を制御するための制御情報を上記第２のユニットに送信する制御情報送信手段とを備え、上記第２のユニットは、上記第１のユニットから送信された上記制御情報を受信する制御情報受信手段と、上記受信された制御情報に基づき、上記第２の映像を生成する第２の映像生成手段と、上記第２の映像を上記第１のユニットに送信する映像送信手段と、上記動作モード情報を上記第１のユニットに送信する動作モード送信手段とを備えている。すなわち、第２のユニットの動作モードを第１のユニットにおいて監視し、第２のユニットの動作モードに基づいて生成した映像を表示するので、ユーザによる２つの異なるユニットそれぞれの動作モードの把握が容易であり、ユーザの操作性を向上させるという効果を奏する。
【図面の簡単な説明】
【００５１】
【図１】実施形態に係るＰＣ内蔵テレビの要部構成を示すブロック図である。
【図２】実施形態に係るＰＣ内蔵テレビの外観を示す図であり、（ａ）はＰＣ内蔵テレビを表示画面側から見た場合の外観を示し、（ｂ）はＰＣ内蔵テレビを横から見た場合の外観を示す。
【図３】実施形態に係るＰＣ内蔵テレビの詳細な内部構成を示すブロック図である。
【図４】実施形態に係るＰＣ内蔵テレビにおける映像合成および表示の流れの一例を示す図である。
【図５】図中（ａ）〜（ｃ）は、実施形態に係るＰＣ内蔵テレビにおいて、ＰＣユニットがスクリーンセーブモードに移行したときのディスプレイに表示される映像の遷移を示す模式図である。
【図６】実施形態に係るＰＣ内蔵テレビにおいて、ＰＣユニットがスクリーンセーブモードに移行したときのディスプレイに表示される映像の切り替え処理を示すシーケンス図である。
【図７】図中（ａ）〜（ｃ）は、実施形態に係るＰＣ内蔵テレビにおいて、ＰＣユニットがスクリーンセーブモードに移行したときのディスプレイに表示される映像の遷移を示す模式図である。
【図８】実施形態に係るＰＣ内蔵テレビにおいて、ＰＣユニットがスクリーンセーブモードに移行したときのディスプレイに表示される映像の切り替え処理を示すシーケンス図である。
【図９】図中（ａ）〜（ｃ）は、実施形態に係るＰＣ内蔵テレビにおいて、ＰＣユニットがスクリーンセーブモードに移行したときのディスプレイに表示される映像の遷移を示す模式図である。
【図１０】実施形態に係るＰＣ内蔵テレビにおいて、ＰＣユニットがスクリーンセーブモードに移行したときのディスプレイに表示される映像の切り替え処理を示すシーケンス図である。
【図１１】図中（ａ）〜（ｃ）は、実施形態に係るＰＣ内蔵テレビにおいて、ＰＣユニットがスクリーンセーブモードからスタンバイモードに移行したときのディスプレイに表示される映像の遷移を示す模式図である。
【図１２】実施形態に係るＰＣ内蔵テレビにおいて、ＰＣユニットがスクリーンセーブモードからスタンバイモードに移行したときのディスプレイに表示される映像の切り替え処理を示すシーケンス図である。
【図１３】図中（ａ）〜（ｃ）は、実施形態に係るＰＣ内蔵テレビにおいて、ＰＣユニットがスクリーンセーブモードからスタンバイモードに移行したときのディスプレイに表示される映像の遷移を示す模式図である。
【図１４】実施形態に係るＰＣ内蔵テレビにおいて、ＰＣユニットがスクリーンセーブモードからスタンバイモードに移行したときのディスプレイに表示される映像の切り替え処理を示すシーケンス図である。
【図１５】図中（ａ）〜（ｃ）は、実施形態に係るＰＣ内蔵テレビにおいて、ディスプレイに表示されるＴＶ映像およびＰＣ映像の表示形態を、ＰＣユニットの動作モード毎に示す図である。
【図１６】図中（ａ）〜（ｃ）は、実施形態に係るＰＣ内蔵テレビにおいて、ディスプレイに表示されるＴＶ映像およびＰＣ映像の表示形態を、ＰＣユニットの動作モード毎に示す図である。
【図１７】図中（ａ）〜（ｃ）は、実施形態に係るＰＣ内蔵テレビにおいて、ディスプレイに表示されるＴＶ映像およびＰＣ映像の表示形態を、ＰＣユニットの動作モード毎に示す図である。
【図１８】図中（ａ）〜（ｃ）は、実施形態に係るＰＣ内蔵テレビにおいて、ＰＣユニットの動作モードの表示形態を、動作モード毎に示す図である。
【図１９】実施形態に係るＰＣ内蔵テレビにおいて、ＰＣユニットがスタンバイモードから復帰するときに特定のアプリケーションを起動する処理を示すシーケンス図である。
【図２０】実施形態に係るＰＣ内蔵テレビにおいて、ＴＶユニットに生じたイベントに伴って、ディスプレイの表示をＰＣ映像表示モードから同時表示モードに切り替える処理を示すシーケンス図である。
【図２１】実施形態に係るＰＣ内蔵テレビの他の例の外観を示す図であり、（ａ）は、着脱可能なＰＣユニットがＴＶユニットに装着された後のＰＣ内蔵テレビを表示画面側から見た場合の外観を示す図であり、（ｂ）は、着脱可能なＰＣユニットがＴＶユニットに装着される前のＰＣ内蔵テレビを背面側から見た場合の外観を示す図である。
【図２２】実施形態に係るＰＣ内蔵テレビの他の例の要部構成を示すブロック図である。
【発明を実施するための形態】
【００５２】
本発明に係る映像表示装置の一実施形態について、図１〜図２１を参照して以下に説明する。なお、本実施形態では、第１のユニットとしてＴＶユニットを有しており、第２のユニットとしてＰＣユニットを有しているＰＣ内蔵テレビを具体例に挙げて説明する。
【００５３】
（ＰＣ内蔵テレビ１の外観）
まず、ＰＣ内蔵テレビ１の外観について、図２（ａ）および（ｂ）を参照して以下に説明する。図２（ａ）および（ｂ）は、本実施形態に係るＰＣ内蔵テレビ１の外観を示す図であり、（ａ）は、ＰＣ内蔵テレビ１を表示画面側から見た場合の外観を示し、（ｂ）は、ＰＣ内蔵テレビ１を横（ＰＣユニット２０の設置側）から見た場合の外観を示す。
【００５４】
図２（ａ）および（ｂ）に示すように、ＰＣ内蔵テレビ１（映像表示装置）は、ＴＶユニット１０（第１のユニット）にＰＣユニット２０（第２のユニット）が設けられた構成の装置である。本実施形態のＴＶユニット１０は、液晶テレビジョン装置としての構成および機能を備えたサブユニット（サブシステム）である。一方、ＰＣユニット２０はいわゆるパーソナルコンピュータとしての構成および機能を備えたサブユニット（サブシステム）である。両者が一体化されて一つのＰＣ内蔵テレビ１を構成する。さらに両者は互いに連携して動作することによって、ユーザに対し、これまでにない充実したコンテンツ再生（視聴、閲覧）体験を提供する。
【００５５】
ユーザはリモコン９を使用してＰＣ内蔵テレビ１を操作する。リモコン９さえあれば、ＴＶユニット１０を操作して放送番組を視聴することができる。さらに、同じリモコン９を使用することによって、ＰＣユニット２０を操作して各種のソフトウェアアプリケーションを実行したり、インターネット上のウェブサイトにアクセスしてウェブページを閲覧したりすることができる。
【００５６】
なお、図２（ａ）および（ｂ）では、ＰＣユニット２０がＴＶユニット１０外壁面に取り付けられている場合を示しているが、ＰＣユニット２０がＴＶユニット１０の筐体本体に内蔵されていてもよい。この場合、ＰＣユニット２０はＴＶユニット１０の内部に完全に隠されている。したがって、ＰＣユニット２０を外部環境から守ることができる。なお、ユーザは、ＰＣユニット２０をＴＶユニット１０の内部から取り出して、別のＰＣユニット２０に交換することができる。
【００５７】
（ＰＣ内蔵テレビ１の要部構成）
ＰＣ内蔵テレビ１の内部構成および機能について、図１を参照して以下に説明する。図１は、本発明の一実施形態に係るＰＣ内蔵テレビ１の要部構成を示すブロック図である。
【００５８】
図１に示すように、ＰＣ内蔵テレビ１のＴＶユニット１０は、映像出力部（映像表示手段）１１、音声出力部１２、コンテンツ処理部（第１の映像生成手段）１３、コンテンツ合成部１４、コンテンツ取得部（放送波受信手段）１５、コンテンツ受信部（映像受信手段）１６、ユーザ入力部（第１の入力信号受信手段）１７、制御情報通信部（制御情報送信手段、操作信号受信手段）１８、制御部１９および動作モード受信部（動作モード受信手段）３１を備えている。一方、ＰＣユニット２０は、コンテンツ処理部（第２の映像生成手段）２１、コンテンツ取得部２２、コンテンツ送信部（映像送信手段）２３、記憶部２４、制御情報通信部（制御情報受信手段、操作信号送信手段）２５、ユーザ入力部（第２の入力信号受信手段）２６、制御部２７、アプリケーション実行部（実行手段）２８および動作モード送信部（動作モード送信手段）３２を備えている。
【００５９】
ＰＣ内蔵テレビ１は、映像の合成機能を有している。具体的には、ＴＶユニット１０は、放送波（テレビ放送）を受信してデコードすることによって、放送番組を取得する。ＰＣユニット２０は、ウェブページ、動画コンテンツなどのＰＣコンテンツを取得してＴＶユニット１０に提供する。ＴＶユニット１０は、少なくとも放送番組（放送コンテンツ）内の映像（以下、ＴＶ映像とも称する）およびＰＣコンテンツ内の映像（以下、ＰＣ映像とも称する）を合成して一つの表示用映像を生成し、ディスプレイ２に出力する。ディスプレイ２には表示用映像が表示される。
【００６０】
なお、ディスプレイ２は、ＰＣ映像、ＴＶ映像およびそれらの映像を含む表示用映像を表示することができるものであれば、いかなるディスプレイであってもよい。ディスプレイ２の一例としては、液晶ディスプレイ、プラズマディスプレイ、および有機ＥＬディスプレイを挙げることができる。
【００６１】
（ＴＶユニット１０の詳細）
ＴＶユニット１０に備えられる各ブロックの機能について、それぞれ以下に説明する。
【００６２】
映像出力部１１は、ＴＶ映像およびＰＣ映像の少なくともいずれか一方をディスプレイ２に表示する。映像出力部１１は、ＴＶ映像のみをディスプレイ２に全画面表示するＴＶモードで表示したり、ＰＣ映像のみをディスプレイ２に全画面表示するＰＣモードで表示したりする。コンテンツ処理部１３がＴＶ映像を生成し、コンテンツ受信部１６がＰＣ映像を受信したとき、映像出力部１１は、ＴＶ映像とＰＣ映像とをディスプレイ２に同時表示する同時表示モードで表示する。この場合、映像出力部１１は、コンテンツ合成部１４がＴＶ映像とＰＣ映像とを合成して送信した合成コンテンツの映像信号をディスプレイ２に出力する。
【００６３】
音声出力部１２は、コンテンツ合成部１４から送られた音声信号をスピーカ３に出力する。
【００６４】
コンテンツ処理部１３は、コンテンツ取得部１５から入力されたコンテンツを処理する。本実施形態では、受信された放送波をデコードして放送番組（ＴＶコンテンツ）を生成し、コンテンツ合成部１４に出力する。
【００６５】
コンテンツ合成部１４は、コンテンツ処理部１３から入力された放送番組（ＴＶコンテンツ）、および、コンテンツ受信部１６がＰＣユニット２０から受信したＰＣコンテンツを合成して、一つの合成コンテンツを生成し、映像出力部１１および音声出力部１２に出力する。なお、コンテンツ合成部１４は、コンテンツ受信部１６においてＰＣコンテンツを受信しない場合には、ＴＶコンテンツのみを映像出力部１１および音声出力部１２に出力する。同様に、ＴＶコンテンツを生成しない場合には、ＰＣコンテンツのみを映像出力部１１および音声出力部１２に出力する。
【００６６】
コンテンツ取得部１５は、アンテナ４を通じて放送波を受信し、コンテンツ処理部１３に出力する。なお、放送波の受信方法はアンテナ４を通じたものに限定されない。コンテンツ取得部１５は、ケーブルテレビ放送網を通じて放送波を受信することもできる。他にも、インターネット８を通じてＩＰ放送データ（ＩＰ放送波）を受信することもできる。
【００６７】
コンテンツ取得部１５において取得される映像としては、放送などリアルタイムの映像や、電子番組表（ＥＰＧ）等が含まれ、これら以外にも、録画再生機器（レコーダ装置）などにより再生されるコンテンツなどのＨＤＭＩケーブルまたはビデオケーブルなどを介して入力される外部入力映像を使用することもできる。
【００６８】
コンテンツ受信部１６は、ＰＣユニット２０から送信されたＰＣコンテンツを受信し、コンテンツ合成部１４に出力する。
【００６９】
ユーザ入力部１７は、ユーザによるＰＣ内蔵テレビ１に対する入力操作を受け付ける。具体的には、例えばユーザによる入力操作に応じてリモコン９のようなＴＶユニットに接続された情報入力デバイスが発した信号を受信し、制御部１９に出力する。他にも、ＴＶユニット１０本体へのユーザの直接操作によって発生せられた信号を受信することもできる。
【００７０】
制御情報通信部１８は、ＰＣユニット２０と制御情報をやり取りする。具体的には、制御情報をＰＣユニット２０の制御情報通信部２５に送信したり、あるいは、制御情報通信部２５から送信された制御情報を受信したりする。ここで制御情報には、例えば、ＰＣユニット２０またはＴＶユニット１０を操作するための操作情報が含まれる。他にも、コンテンツを取得するためのアクセス情報（リンク情報）が含まれる。また、制御情報通信部１８は、ユーザ入力部１７がユーザからのＰＣユニット２０に対する操作入力を受け付けたとき、当該操作入力を表す操作入力信号を制御情報通信部２５に送信する。
【００７１】
また、制御情報には、取得したコンテンツを他方のユニットに提供すべき旨を規定した情報、および他方のユニットに提供すべき映像を指定する情報が含まれる。制御情報通信部１８は、動作モード受信部３１が、ＰＣユニット２０から送信される動作モード情報を受信したとき、受信した動作モード情報に基づいて、ＰＣ映像の生成を制御する制御情報をＰＣユニット２０に送信する。具体的には、動作モード情報に基づいて、ＰＣ映像を生成しないことを規定した情報を制御情報としてＰＣユニット２０に送信したり、生成するＰＣ映像を指定した情報を制御情報としてＰＣユニット２０に送信したりする。
【００７２】
ここで、動作モード情報とは、ＰＣユニット２０の動作モードが、スクリーンセーブモードであるのか、スタンバイモードであるのか、通常モードであるのか、またはスクリーンセーブモードあるいはスタンバイモードから復帰する起動モードであるのかを通知する情報である。
【００７３】
動作モード受信部３１が受信した動作モード情報が、ＰＣユニット２０がスクリーンセーブモードであることを通知する情報（第１の動作モード情報）であるとき、制御情報通信部１８は、ＰＣ映像を生成しないことを規定した情報や、例えばスクリーンセーバー映像のように、スクリーンセーブモードであること示す映像をＰＣ映像として生成することを規定した情報を、制御情報としてＰＣユニット２０に送信する。そして、ＰＣユニット２０において生成したＰＣ映像を映像出力部１１がディスプレイ２に表示することによって、ユーザは、ＰＣユニット２０がスクリーンセーブモードであることを容易に把握することができる。
【００７４】
また、動作モード受信部３１が受信した動作モード情報が、ＰＣユニット２０がスタンバイモードであることを通知する情報（第２の動作モード情報）であるとき、制御情報通信部１８は、ＰＣ映像を生成しないことを規定した情報や、スタンバイモードであることを示す映像をＰＣ映像として生成することを規定した情報を、制御情報としてＰＣユニット２０に送信する。そして、ＰＣユニット２０において生成したＰＣ映像を映像出力部１１がディスプレイ２に表示することによって、ユーザは、ＰＣユニット２０がスタンバイモードであることを容易に把握することができる。
【００７５】
さらに、動作モード受信部３１が受信した動作モード情報が、ＰＣユニット２０がスクリーンセーブモードあるいはスタンバイモードから復帰することを通知する情報（第３の動作モード情報）であるとき、制御情報通信部１８は、通常モードで生成するＰＣ映像を生成することを規定した情報を、制御情報としてＰＣユニット２０に送信する。そして、ＰＣユニット２０において生成したＰＣ映像を映像出力部１１がディスプレイ２に表示することによって、ユーザは、ＰＣユニット２０がスクリーンセーブモードまたはスタンバイモードから復帰したことを容易に把握することができる。
【００７６】
また、制御情報には、ＰＣユニット２０の動作モードをＴＶユニット１０側から指定する動作モード指定情報が含まれていてもよい。動作モード指定情報とは、ＰＣユニット２０を、スクリーンセーブモードで動作させるのか、スタンバイモードで動作させるのか、通常モードで動作させるのか、またはスクリーンセーブモードあるいはスタンバイモードから通常モードに復帰させるのかを指定する情報である。
【００７７】
制御部１９は、ＴＶユニット１０を構成する各ブロックを統括制御する。
【００７８】
動作モード受信部３１は、ＰＣユニット２０から送信される、ＰＣユニット２０の動作モードを表す動作モード情報を受信する。動作モード受信部３１が動作モード情報を受信することによって、ＴＶユニット１０はＰＣユニット２０の動作モードを監視する。
【００７９】
なお、本明細書等において「スクリーンセーブモード」とは、ＰＣにおいてスクリーンセーバーが起動する状態のように、ユーザ入力部１７におけるリモコン９からのＰＣユニット２０に対する操作入力、またはユーザ入力部２６におけるマウス５およびキーボード６からのＰＣユニット２０に対する操作入力のような、外部からのＰＣユニット２０に対する入力信号を所定時間以上受け付けていない状態を意味しており、「待機状態」と称することもある。したがって、実際にＰＣユニット２０において、スクリーンセーバーが起動している状態をも意図している。
【００８０】
また、「スタンバイモード」とは、スクリーンセーブモードに移行してから、さらに所定時間以上、外部からのＰＣユニット２０に対する操作入力を受け付けていない状態を意味しており、「休止状態」と称することもある。したがって、ＰＣユニット２０において、作業状態を省電力モードでメモリに保存するような、ＰＣスタンバイの状態をも意図している。
【００８１】
また、「起動モード」とは、スクリーンセーブモードまたはスタンバイモードにおいて、外部からのＰＣユニット２０に対する操作入力を受け付け、通常モードに復帰する遷移状態を意味している。「通常モード」とは、スクリーンセーブモード、スタンバイモードおよび起動モードのいずれのモードでもない場合を意味している。
【００８２】
（ＰＣユニット２０の詳細）
ＰＣユニット２０を構成する各ブロックの機能について、以下に説明する。
【００８３】
コンテンツ処理部２１は、コンテンツ取得部２２が取得したＰＣコンテンツを処理する。コンテンツ取得部２２は、外部からＰＣコンテンツを取得する。例えば、コンテンツ取得部２２は、記録ディスク７からＰＣコンテンツを取得してもよいし、インターネット（通信ネットワーク）８を介してＰＣ内蔵テレビ１に接続されているサーバ装置あるいはクライアント装置からＰＣコンテンツを取得してもよい。
【００８４】
ここで、ＰＣコンテンツとは、コンピュータによって処理され再生可能なコンテンツのことである。ＰＣコンテンツには、例えばテキスト、静止画像、音声、動画像などのコンテンツが該当し、さらにこれらの組み合わせからなるマルチメディアコンテンツも該当する。他にも、ウェブページもＰＣコンテンツに含まれる。これらのＰＣコンテンツは各所から取得できる。取得先としては、インターネット８上のウェブサイト、ＰＣ内蔵テレビ１に接続された外部装置、および記録ディスク７を挙げることができる。また、ＰＣコンテンツは、ＰＣユニット２０に予め導入されているソフトウェアアプリケーションによって生成することによっても、取得することができる。
【００８５】
コンテンツ処理部２１は、制御情報通信部２５が、ＰＣユニット２０がスクリーンセーブモードであることを示す映像をＰＣ映像として生成することを規定した情報を制御情報として受信したとき、例えばスクリーンセーバー映像のような映像をＰＣ映像として生成する。
【００８６】
また、コンテンツ処理部２１は、制御情報通信部２５が、ＰＣユニット２０がスタンバイモードであることを示す映像をＰＣ映像として生成することを規定した情報を制御情報として受信したとき、当該映像をＰＣ映像として生成する。
【００８７】
また、コンテンツ処理部２１は、ＰＣユニット２０がスクリーンセーブモードまたはスタンバイモードであるときに、制御情報通信部２５が、通常モードで生成するＰＣ映像を生成することを規定した情報を制御情報として受信したとき、通常モードで取得されるＰＣ映像を生成する。
【００８８】
コンテンツ送信部２３は、コンテンツ処理部２１が処理したコンテンツをコンテンツ受信部１６へ送信する。コンテンツ送信部２３は、ＰＣユニット２０において生成したＰＣ映像を送信する映像送信手段と換言することもできる。
【００８９】
記憶部２４は、各種のＰＣコンテンツを記憶する。例えば、ハードディスク、フラッシュメモリなどの不揮発性の記憶装置として実現される。記憶部２４には、ＰＣコンテンツに加えて、アプリケーション実行部２８によって実行される各種のソフトウェアアプリケーションが記憶されている。
【００９０】
制御情報通信部２５は、制御情報通信部１８と制御情報のやり取りをする。具体的には、制御情報をＴＶユニット１０の制御情報通信部１８に送信したり、あるいは、制御情報通信部１８から送信された制御情報を受信したりする。制御情報通信部２５は、制御情報通信部１８から送信された、ＰＣ映像を生成しないことを規定した情報、スクリーンセーブモードであることを示す映像をＰＣ映像として生成することを規定した情報、スタンバイモードであることを示す映像をＰＣ映像として生成することを規定した情報等を、制御情報として受信する。また、制御情報通信部２５は、ユーザ入力部２６がユーザからの操作入力を受け付けたとき、当該操作入力を表す操作入力信号を制御情報通信部１８に送信する。
【００９１】
ユーザ入力部２６は、ユーザによるＰＣ内蔵テレビ１に対する入力操作を受け付ける。具体的には、ユーザによる入力操作に応じて操作装置（本実施形態ではマウス５およびキーボード６）が発した信号を受信し、制御部２７に出力する。当該操作装置の他の例として、トラックボールおよびトラックパッドなどのポインティングデバイス、ならびにジョイスティックも含まれる。
【００９２】
制御部２７は、ＰＣユニット２０における動作全般を制御する。
【００９３】
アプリケーション実行部２８は、記憶部２４に記憶されているソフトウェアアプリケーションを読み出して実行する。
【００９４】
動作モード送信部３２は、ＰＣユニット２０の動作モードを表す動作モード情報をＴＶユニット１０に送信する。
【００９５】
（ＰＣ内蔵テレビ１の詳細な内部構成）
次に、ＰＣ内蔵テレビ１の詳細な内部構成について、図３を参照して説明する。図３は、本実施形態に係るＰＣ内蔵テレビ１の詳細な内部構成を示すブロック図である。図１に示す各機能ブロックは、図３に示す各ブロックのいずれかまたはその組み合わせによって、実現される。
【００９６】
ＲＦ（Ｒａｄｉｏ  Ｆｒｅｑｕｅｎｃｙ）受信部１０１は、外部から送られてくる信号を受信する。すなわち、ＲＦ受信部１０１は、例えば、地上波デジタル放送により伝送される映像信号などのデジタル放送信号を受け付ける映像信号入力部である。なお、ＲＦ受信部１０１が受信する信号は、地上波デジタル放送波として送られてくる信号に限定されるものではなく、例えば、一般のアナログ放送、衛星放送、またはケーブルテレビ放送により伝送される映像信号であってもよい。
【００９７】
ＲＦ受信部１０１が受信する映像信号の形式としては、例えば、デジタル放送の場合はＭＰＥＧ２またはＭＰＥＧ４形式でデジタル化された映像信号を挙げることができる。また、ＲＦ受信部１０１に入力される信号は、上記の映像信号に限定されるものではなく、例えば、デジタル化されたオーディオ信号、データ放送、電子番組表情報またはネットワーク情報などのデジタル放送信号（放送波）であってもよい。
【００９８】
デモジュレータ１０２は、ＲＦ受信部１０１に入力されたデジタル放送信号を復調し、デコーダ１０３に送る。
【００９９】
デコーダ１０３は、例えばＭＰＥＧ２ＴＳなどの復調された信号を、ビデオ成分（信号）とオーディオ成分（信号）とに分解する。また、デコーダ１０３は、分解した信号のうちビデオ信号をデコードし、オーディオ信号をオーディオプロセッサ１０４に送る。このとき、オーディオ信号に付随するデータは、ＣＰＵ１０９に送られ、そこで処理される。
【０１００】
オーディオプロセッサ１０４は、デコーダ１０３から受け取ったオーディオ信号をデコードする。なお、オーディオ信号には多数のフォーマットがあるため、通常、オーディオ信号のデコード処理はオーディオプロセッサ１０４にて行う。しかしながら、これに限定されるものではなく、デコーダ１０３またはＣＰＵ１０９において、オーディオ信号をデコードしてもよい。処理されたオーディオ信号は、スピーカ１０５に送られる。
【０１０１】
スピーカ１０５は、オーディオプロセッサ１０４においてデコードされたオーディオ信号を出力する。なお、本実施形態では、表示部１１２およびスピーカ１０５を備えたテレビの形態を示すが、これに限定されるものではなく、例えば、ＢＤ（Ｂｌｕ−Ｒａｙ）レコーダまたはＳＴＢ（Ｓｅｔ  Ｔｏｐ  Ｂｏｘ）などの場合、スピーカ１０５の代わりに、外部機器にオーディオ信号を出力してもよい。
【０１０２】
リモコン通信部１０６は、図示しないリモコンからの制御信号を受信する。制御信号を送信するリモコンとしては、例えば、１方向に信号を送信する赤外線リモコン、または双方向に信号を送信する無線リモコンが挙げられる。リモコン通信部１０６が受信した制御信号は、ＣＰＵ１０９に送られる。
【０１０３】
外部入力部１０７は、ＰＣユニット２０の映像出力部２０８から出力された信号を受信する。外部入力部１０７としては、例えば、ＨＤＭＩインターフェースまたはＤＶＩ−Ｄ端子などが挙げられる。また、外部入力部１０７が受信する信号は、デコードされたデータまたは圧縮形式のデータ（例えば、ＭＥＰＧ２またはＭＰＥＧ４形式のデータなど）を含む。
【０１０４】
外部入力部１０７が受信したオーディオ信号は、オーディオプロセッサ１０４に出力される。一方、外部入力部１０７が受信した映像信号は、グラフィックメモリ１１０に出力され、展開される。また、例えば、外部入力部１０７が受信した映像信号が圧縮画像であった場合、受信した映像信号は、デコーダ１０３をいったん経由してグラフィックメモリ１１０に送られる。なお、デコーダ１０３を経由するか否かによって、グラフィックメモリ１１０に出力される映像信号に本質的な差異は生じない。
【０１０５】
メモリ１０８は、プログラムまたはデータを格納するメモリである。
【０１０６】
ＣＰＵ１０９は、ＴＶユニット１０全体の制御を行うＣＰＵである。
【０１０７】
グラフィックメモリ１１０は、２つ以上の映像および表示データを保持する。表示データとしては、例えば、データ放送、およびＯＳＤ（オンスクリーンディスプレイ）データ、および設定メニューなどのデータが挙げられる。グラフィックメモリ１１０は、複数のプレーンからなり、それぞれのプレーンを重ね合わせたり、アルファブレンディングを行ったりすることが可能である。
【０１０８】
グラフィックコントローラ１１１は、グラフィックメモリ１１０に保持される映像および表示データを合成し、１画面を作成する。すなわち、グラフィックコントローラ１１１は、ＣＰＵ１０９からの制御に応じて、例えば、複数のプレーンの拡大縮小または位置設定などを行い、合成して最終画面を作り出す。この最終画面は、表示部１１２へ送られる。なお、グラフィックメモリ１１０およびグラフィックコントローラ１１１は、図１に示したコンテンツ合成部１４に相当する。
【０１０９】
表示部１１２は、グラフィックコントローラ１１１から受け取った映像を表示する。例えば液晶パネルなどの表示デバイスに映像を表示してもよいし、外部機器に映像データを出力してもよい。
【０１１０】
ＬＡＮ（Ｌｏｃａｌ  Ａｒｅａ  Ｎｅｔｗｏｒｋ）コントローラ１１３は、ネットワークを通じて外部機器と接続する。ＬＡＮコントローラ１１３は、ＤＬＮＡ（Ｄｉｇｉｔａｌ  Ｌｉｖｉｎｇ  Ｎｅｔｗｏｒｋ  Ａｌｌｉａｎｃｅ）などのホームネットワーク規格によって他の機器と接続しても、インターネットを通じて映像サービスと接続してもよい。また、外部機器との接続は、有線または無線のどちらでもよい。なお、ＬＡＮコントローラ１１３から取得された映像信号は、特に限定されないが、ＲＦ受信部１０１を通じて取得された映像信号と同様に扱うことが好ましい。
【０１１１】
Ｉ／Ｆ部１１４は、ＬＡＮ、ＵＳＢまたはシリアルなどを制御するインターフェース部である。Ｉ／Ｆ部１１４では、静止画などを含む制御情報をＰＣユニット２０とやり取りする。なお、Ｉ／Ｆ部１１４における制御情報の送受信方式は、特に限定されない。
【０１１２】
電源部１１５は、ＴＶユニット１０における電源回路である。また、電源部２０４は、ＰＣユニット２０における電源回路である。これらの電源部１１５，２０４は、共通の電源１５０から電力の供給を受ける。この際、１つのＡＣプラグによって電力の供給を受けることが望ましい。
【０１１３】
入力部２０１は、外部からの入力を受け付ける。このように、ＰＣユニット２０は、独自の入力部が存在し得る。入力部２０１としては、例えば、Ｂｌｕｅｔｏｏｔｈのワイヤレスキーボードまたはワイヤレスマウスなどを利用することが好ましい。
【０１１４】
ＩＯプロセッサ２０２は、各種外部インターフェースを制御する。
【０１１５】
ＬＡＮコントローラ２０３は、ＩＰネットワークと接続する。なお、ＬＡＮコントローラ１１３とＬＡＮコントローラ２０３とは、互いに１つのＩＰアドレスを共用することが好ましい。また、ＴＶユニット１０およびＰＣユニット２０において、それぞれ個別のＬＡＮコントローラ１１３、２０３を備えている場合、ＰＣ内蔵のテレビ１の内部においてブリッジ機能を有することが好ましい。これにより、例えば、有線ＬＡＮを接続する場合に、１つのＬＡＮケーブルを挿すだけで、ＴＶユニット１０およびＰＣユニット２０を同時にネットワークに接続させることができる。
【０１１６】
メモリ２０５は、各種制御を行うＣＰＵ２０６のメモリである。
【０１１７】
ＣＰＵ２０６は、ＰＣユニット２０に含まれる各ブロックを統括的に制御する。例えば、圧縮されたＰＣコンテンツをソフトウェア的にデコードして、元のサイズのＰＣコンテンツに変換する。本実施形態において、ＰＣユニット２０は、ＴＶユニット１０におけるデコーダ１０３のようなハードウェアを備えていない。しかしながら、これに限定されるものではなく、例えば、ＰＣユニット２０がデコーダ１０３のようなハードウェアを備えていてもよい。
【０１１８】
グラフィックコントローラ２０７は、映像描画時のグラフィック処理を高速化する。
【０１１９】
映像出力部２０８は、グラフィックコントローラ２０７によって処理された映像信号を出力する。出力される映像信号の形式としては、例えばＨＤＭＩ規格のインターフェースを介して出力可能な形式などを挙げることができる。なお、オーディオ信号も映像信号と同様に、ＴＶユニット１０に出力される。
【０１２０】
記憶部２０９は、インターネット８または記録ディスク７を通じて取得されたＰＣコンテンツを恒久的に記憶する。記憶部２０９としては、例えば、ハードディスク、ＢＤ（Ｂｌｕ−ｒａｙ  Ｄｉｓｃ）、ＤＶＤ（Ｄｉｇｉｔａｌ  Ｖｉｄｅｏ  Ｄｉｓｃ）またはＵＳＢ（Ｕｎｉｖｅｒｓａｌ  Ｓｅｒｉａｌ  Ｂｕｓ）メモリなどが挙げられる。ＣＰＵ２０６は、ネットワークを経由して取得した映像、または記憶部２０９に記憶されている映像を再生し、ＴＶユニット１０に送信する。
【０１２１】
ここで、映像とは、動画に限定されるものではなく、音楽、書籍（テキスト）、写真（静止画像）、スライドショー、ワープロドキュメント、またはゲームなどのアプリケーションが作成する画面が挙げられる。
【０１２２】
（映像合成の流れの例）
ＰＣ内蔵テレビ１における、複数の映像の合成および表示処理の流れについて、図４を参照して説明する。図４は、ＰＣ内蔵テレビ１における映像合成および表示の流れの一例を示す図である。
【０１２３】
この図に示すように、ＰＣユニット２０のコンテンツ取得部２２は、映像５０（第２のコンテンツに含まれる第２の映像）および関連情報５２を取得する。取得先は例えばインターネット８または記録ディスク７である。これらの映像５０および関連情報５２は、コンテンツ取得部２２、コンテンツ処理部２１、およびコンテンツ送信部２３を経由してＴＶユニット１０に送信される。ＴＶユニット１０では、コンテンツ受信部１６を経由してコンテンツ合成部１４に提供される。
【０１２４】
一方、ＴＶユニット１０のコンテンツ取得部１５は、映像５４（第１のコンテンツに含まれる第１の映像）および関連情報５６を取得する。取得先は例えば放送局である。これらの映像５４および関連情報５６は、コンテンツ取得部１５、コンテンツ処理部１３を経由してコンテンツ合成部１４に提供される。なお、ＰＣユニット２０には、ＴＶユニット１０から、映像５０および関連情報５２をＴＶユニット１０に提供すべきことを規定した制御情報が事前に送信されている。ＰＣユニット２０は、この制御情報の受信に応じて映像５０および関連情報５２をＴＶユニット１０に提供する。
【０１２５】
コンテンツ合成部１４は、入力された映像５０、関連情報５２、映像５４、および関連情報５６を合成して１つの合成映像（合成コンテンツ）を生成する。本実施形態ではグラフィックメモリ１１０を利用し、３つのプレーンのそれぞれにデータを書き込む。具体的には第１のプレーンに映像５０、第２のプレーンに映像５４、そして第３のプレーンに関連情報５２および関連情報５６を書き込む。こうして得た３つのプレーンを重ね合わせ、図４に示す１つの合成映像を生成する。当該合成映像は映像出力部１１を経由してディスプレイ２に入力される。これらの処理の結果、ユーザはディスプレイ２を通じて当該合成映像を視認する。結果、放送番組を視聴しながら映画コンテンツをサブ画面で楽しむ、といったことが可能になる。
【０１２６】
（電源の連動）
ＰＣ内蔵テレビ１では、電源部１１５および電源部２０４が、共通の電源１５０から電力の供給を受ける。さらに、電源部２０４は、電源部１１５から電力の供給を受ける。すなわち、ＰＣ内蔵テレビ１では、ＴＶユニット１０の電源と、ＰＣユニット２０の電源とが連動する。これによって、ユーザは、ＰＣユニット２０を起動するための煩雑な操作をしなくてもよい。すなわち、ＴＶユニット１０の電源を入れると同時に、ＰＣの電源も入る。
【０１２７】
ＴＶユニット１０の起動完了後、ユーザは直ちに放送番組の視聴が可能になる。一方、ＰＣユニット２０の方が、ＴＶユニット１０よりも起動完了までに要する時間が長いため、ＴＶユニット１０の起動が完了した後もＰＣユニット２０の起動処理は続く。ユーザは、ＰＣユニット２０の起動完了まで無用に待つことなく、放送番組を楽しめる。また、ＰＣユニット２０の起動完了後は、リモコン９による簡単な操作によって、いつでもＰＣユニット２０を操作することができる。
【０１２８】
（スクリーンセーブモードへの移行時の処理）
次に、ＰＣユニット２０がスクリーンセーブモードに移行したときのディスプレイ２に表示される映像の切り替え処理の詳細について、図５〜１０を参照して以下に説明する。図５（ａ）〜（ｃ）は、ＰＣユニット２０がスクリーンセーブモードに移行したときのディスプレイ２に表示される映像の遷移を示す模式図あり、図６は、ディスプレイ２に表示される映像の切り替え処理を示すシーケンス図である。
【０１２９】
図５（ａ）は、同時表示モード（ＴＶ映像１００（第１の映像）とＰＣ映像２００（第２の映像）とを同時にディスプレイ２に表示するモード）で動作しているＰＣ内蔵テレビ１のディスプレイ２を示している。同時表示モードから、ＰＣユニット２０がスクリーンセーブモードに移行したとき、図５（ｂ）に示すように、ディスプレイ２には、ＴＶ映像１００のみが表示され、ＰＣ映像２００は表示されない。そして、ＰＣユニット２０がスクリーンセーブモードから復帰し、同時表示モードに再度移行したとき、図５（ｃ）に示すように、ディスプレイ２には、ＴＶ映像１００とＰＣ映像２００とが同時に表示される。
【０１３０】
図５（ａ）〜（ｃ）に示すような映像の切り替え処理について、図６を参照して説明する。まず、ＰＣ内蔵テレビ１には、ＴＶ映像１００とＰＣ映像２００とが同時表示されている（ステップＳ１）。そして、ＰＣユニット２０に対するマウス５、キーボード６またはリモコン９からのユーザの操作入力を、ユーザ入力部１７またはユーザ入力部２６が所定時間受け付けないとき、ＰＣユニット２０の動作モード送信部３２からＴＶユニット１０の動作モード受信部３１にスクリーンセーバーが起動したことを示す動作モード情報が通知され、ＰＣユニット２０のスクリーンセーバーが起動する（ステップＳ２）。
【０１３１】
スクリーンセーバーが起動したことを示す動作モード情報を動作モード受信部３１が受信したとき、制御部１９は、映像出力部１１に対して、ＴＶ映像１００を全画面表示するように指示する。ＴＶ映像１００がディスプレイ２の全画面に表示されているＰＣ内蔵テレビ１において（ステップＳ３）、ユーザ入力部２６が、ＰＣユニット２０に対するユーザの操作入力を受け付けたとき、動作モード送信部３２は、ＰＣユニット２０がスクリーンセーブモードから復帰して、スクリーンセーバーが中断することを示す動作モード情報を通知し、スクリーンセーバーを中断する（ステップＳ４）。
【０１３２】
動作モード受信部３１が当該動作モード情報を受信したとき、制御部１９は、映像出力部１１に対して、ＴＶ映像１００とＰＣ映像２００とを同時表示するように指示し、ディスプレイ２にＴＶ映像１００とＰＣ映像２００とが同時表示される（ステップＳ５）。
【０１３３】
なお、ＰＣユニット２０において、ＰＣユニットに対するユーザからの操作入力を最後に受け付けてからスクリーンセーバーが起動するまでの時間（所定時間）は、任意の時間を適宜設定すればよく、例えば２０分間のように設定すればよい。制御部２７は、アプリケーション実行部２８にスクリーンセーバーアプリケーションを実行させるタイミングを制御することによって、スクリーンセーバーを起動するまでの時間を設定する。
【０１３４】
ＰＣユニット２０がスクリーンセーブモードに移行したときのディスプレイ２に表示される映像の切り替え処理の他の態様について、図７（ａ）〜（ｃ）および図８を参照して説明する。図７（ａ）〜（ｃ）は、ＰＣユニット２０がスクリーンセーブモードに移行したときのディスプレイ２に表示される映像の遷移を示す模式図あり、図８は、ディスプレイ２に表示される映像の切り替え処理を示すシーケンス図である。
【０１３５】
図７（ａ）は、同時表示モード（ＴＶ映像１００とＰＣ映像２００とを同時にディスプレイ２に表示するモード）で動作しているＰＣ内蔵テレビ１のディスプレイ２を示している。同時表示モードから、ＰＣユニット２０がスクリーンセーブモードに移行したとき、図７（ｂ）に示すように、ディスプレイ２には、ＴＶ映像１００の大画面の右下にＰＣ映像の小画面が表示される。このときのＰＣ映像２００は、例えばスクリーンセーバー映像であってもよいし、ＰＣユニット２０がスクリーンセーブモードであることを示す他の映像であってもよい。そして、ＰＣユニット２０がスクリーンセーブモードから復帰し、同時表示モードに再度移行したとき、図７（ｃ）に示すように、ディスプレイ２には、ＴＶ映像１００とＰＣ映像２００とが同時に表示される。
【０１３６】
ここで、図７（ｂ）に示すように、ＰＣユニット２０がスクリーンセーブモードに移行したとき、ＴＶユニット１０は、ディスプレイ２のバックライトのエリアアクティブ制御を行い、イルミネーション効果を向上させてもよい。また、エリアアクティブ制御することによって、ＰＣ映像２００の表示部分におけるバックライトの明るさを最低限に抑えれば、消費電力を抑えることができる。
【０１３７】
また、ＰＣ映像２００の小画面の表示によって、ユーザのＴＶ映像１００の視聴を妨げないように、制御部１９は映像出力部１１に、ＰＣ映像２００として透けるような映像を表示させてもよいし、ＰＣ映像２００を周期的に表示させるように制御してもよい。ＰＣ映像２００の小画面の表示位置も、ユーザのＴＶ映像１００の視聴を妨げない位置であれば、特に限定されない。
【０１３８】
図７（ａ）〜（ｃ）に示すような映像の切り替え処理について、図８を参照して説明する。まず、ＰＣ内蔵テレビ１には、ＴＶ映像１００とＰＣ映像２００とが同時表示されている（ステップＳ１０）。そして、ＰＣユニット２０に対するマウス５、キーボード６またはリモコン９からのユーザの操作入力を、ユーザ入力部１７またはユーザ入力部２６が所定時間受け付けないとき、ＰＣユニット２０の動作モード送信部３２からＴＶユニット１０の動作モード受信部３１にスクリーンセーバーが起動したことを示す動作モード情報が通知され、ＰＣユニット２０のスクリーンセーバーが起動する（ステップＳ１１）。
【０１３９】
スクリーンセーバーが起動したことを示す動作モード情報を動作モード受信部３１が受信したとき、制御部１９は、映像出力部１１に対して、ＴＶ映像１００の大画面とＰＣ映像２００の小画面とを表示するように指示する。ＴＶ映像１００の大画面とＰＣ映像２００の小画面とがディスプレイ２に表示されているＰＣ内蔵テレビ１において（ステップＳ１２）、ユーザ入力部２６が、ＰＣユニット２０に対するユーザの操作入力を受け付けたとき、動作モード送信部３２は、ＰＣユニット２０がスクリーンセーブモードから復帰して、スクリーンセーバーが中断することを示す動作モード情報を通知し、スクリーンセーバーを中断する（ステップＳ１３）。
【０１４０】
動作モード受信部３１が当該動作モード情報を受信したとき、制御部１９は、映像出力部１１に対して、ＴＶ映像１００とＰＣ映像２００とを同時表示するように指示し、ディスプレイ２にＴＶ映像１００とＰＣ映像２００とが同時表示される（ステップＳ１４）。
【０１４１】
ＰＣユニット２０がスクリーンセーブモードに移行したときのディスプレイ２に表示される映像の切り替え処理のさらに他の態様について、図９（ａ）〜（ｃ）および図１０を参照して説明する。図９（ａ）〜（ｃ）は、ＰＣユニット２０がスクリーンセーブモードに移行したときのディスプレイ２に表示される映像の遷移を示す模式図あり、図１０は、ディスプレイ２に表示される映像の切り替え処理を示すシーケンス図である。
【０１４２】
図９（ａ）は、同時表示モード（ＴＶ映像１００とＰＣ映像２００とを同時にディスプレイ２に表示するモード）で動作しているＰＣ内蔵テレビ１のディスプレイ２を示している。同時表示モードから、ＰＣユニット２０がスクリーンセーブモードに移行したとき、図９（ｂ）に示すように、ディスプレイ２には、ＴＶ映像１００の大画面の周囲にＰＣ映像の小画面が表示される。そして、ＰＣユニット２０がスクリーンセーブモードから復帰し、同時表示モードに再度移行したとき、図９（ｃ）に示すように、ディスプレイ２には、ＴＶ映像１００とＰＣ映像２００とが同時に表示される。
【０１４３】
図９（ａ）〜（ｃ）に示すような映像の切り替え処理について、図１０を参照して説明する。まず、ＰＣ内蔵テレビ１には、ＴＶ映像１００とＰＣ映像２００とが同時表示されている（ステップＳ２０）。そして、ＰＣユニット２０に対するマウス５、キーボード６またはリモコン９からのユーザの操作入力を、ユーザ入力部１７またはユーザ入力部２６が所定時間受け付けないとき、ＰＣユニット２０の動作モード送信部３２からＴＶユニット１０の動作モード受信部３１にスクリーンセーバーが起動したことを示す動作モード情報が通知され、ＰＣユニット２０のスクリーンセーバーが起動する（ステップＳ２１）。
【０１４４】
スクリーンセーバーが起動したことを示す動作モード情報を動作モード受信部３１が受信したとき、制御部１９は、映像出力部１１に対して、ＴＶ映像１００の大画面の周囲にＰＣ映像２００の小画面を表示するように指示する。ＴＶ映像１００の大画面の周囲にＰＣ映像２００の小画面が表示されているＰＣ内蔵テレビ１において（ステップＳ２２）、ユーザ入力部１７が、ＰＣユニット２０に対するユーザの操作入力を受け付けたとき、制御情報通信部１８は、スクリーンセーバーの中断要求を示す信号を制御情報通信部２５に送信する。制御情報通信部２５が当該信号を受信したとき、動作モード送信部３２は、ＰＣユニット２０がスクリーンセーブモードから復帰して、スクリーンセーバーが中断することを示す動作モード情報をＴＶユニット１０に通知し、スクリーンセーバーを中断する（ステップＳ２３）。
【０１４５】
動作モード受信部３１が当該動作モード情報を受信したとき、制御部１９は、映像出力部１１に対して、ＴＶ映像１００とＰＣ映像２００とを同時表示するように指示し、ディスプレイ２にＴＶ映像１００とＰＣ映像２００とが同時表示される（ステップＳ２４）。
【０１４６】
（スタンバイモードへの移行時の処理）
次に、ＰＣユニット２０がスクリーンセーブモードからスタンバイモードに移行したときのディスプレイ２に表示される映像の切り替え処理の態様について、図１１（ａ）〜（ｃ）および図１２を参照して説明する。図１１（ａ）〜（ｃ）は、ＰＣユニット２０がスクリーンセーブモードからスタンバイモードに移行したときのディスプレイ２に表示される映像の遷移を示す模式図あり、図１２は、ディスプレイ２に表示される映像の切り替え処理を示すシーケンス図である。
【０１４７】
図１１（ａ）は、ＴＶ映像１００の大画面の周囲に、ＰＣユニット２０がスクリーンセーブモードであることを示すＰＣ映像２００の小画面を表示させたＰＣ内蔵テレビ１のディスプレイ２を示している。そして、ＰＣユニット２０に対するマウス５、キーボード６またはリモコン９からのユーザの操作入力を、ユーザ入力部１７またはユーザ入力部２６がさらに所定時間受け付けないとき、ＰＣユニットはスクリーンセーブモードからスタンバイモードに移行する。このとき図１１（ｂ）に示すように、ディスプレイ２には、ＴＶ映像１００の大画面の周囲に、ＰＣユニット２０がスタンバイモードであることを示すＰＣ映像２００の小画面が表示される。そして、ユーザからのＴＶモードへの変更要求をユーザ入力部１７が受け付けたとき、制御部１９は、図１１（ｃ）に示すように、ＴＶ映像１００のみをディスプレイに表示するように映像出力部１１を制御する。
【０１４８】
ここで、ＰＣユニット２０がスタンバイモードであることを示すＰＣ映像２００は、ＰＣユニット２０がスタンバイモードであることを示す、「ＰＣユニットはスタンバイモード」のような文字列を含んでいてもよい。このような文字列をコーション情報としてディスプレイ２に表示することによって、ＰＣユニット２０の状態をユーザに通知することができる。さらに、ＴＶモードへの変更、ＰＣユニット２０のスタンバイモードからの復帰、ＰＣユニット２０のシャットダウンを促す文字列を、同様にコーション情報としてディスプレイ２に表示し、ユーザの操作入力を促してもよい。
【０１４９】
図１１（ａ）〜（ｃ）に示すような映像の切り替え処理について、図１２を参照して説明する。まず、ＰＣ内蔵テレビ１には、ＴＶ映像１００の大画面の周囲に、ＰＣユニット２０がスクリーンセーブモードであることを示すＰＣ映像２００の小画面が表示されている（ステップＳ３０）。そして、ＰＣユニット２０に対するマウス５、キーボード６またはリモコン９からのユーザの操作入力を、ユーザ入力部１７またはユーザ入力部２６が所定時間受け付けないとき、ＰＣユニット２０の動作モード送信部３２からＴＶユニット１０の動作モード受信部３１に、ＰＣユニット２０がスタンバイモードに移行したことを示す動作モード情報が通知され、ＰＣユニット２０がスタンバイモードに移行する（ステップＳ３１）。
【０１５０】
スタンバイモードに移行したことを示す動作モード情報を動作モード受信部３１が受信したとき、制御部１９は、映像出力部１１に対して、ＴＶ映像１００の大画面の周囲に、ＰＣユニット２０がスタンバイモードであることを示す映像をＰＣ映像２００として、小画面で表示するように指示する。ＴＶ映像１００の大画面の周囲に、スタンバイモードを表示する映像をＰＣ映像２００として表示しているＰＣ内蔵テレビ１において（ステップＳ３２）、ユーザ入力部１７が、ＴＶモードへの変更要求を示す操作入力を受け付けたとき、制御部１９は、映像出力部１１に対して、ＴＶ映像１００のみをディスプレイ２に表示するように指示し、ディスプレイ２にＴＶ映像１００が全画面表示される（ステップＳ３３）。
【０１５１】
ここで、ＰＣユニット２０において、スクリーンセーバーが起動してからスタンバイモードに移行するまでの時間（所定時間）は、任意の時間を適宜設定すればよく、例えば２０分間のように設定すればよい。すなわち制御部１９は、例えば記憶部２４に記憶された任意の時間外部からの入力を受け付けないとき、ＰＣユニット２０をスタンバイモードに移行するように制御してもよい。
【０１５２】
なお、ＰＣユニット２０がスタンバイモードに移行し、ＴＶ映像１００のみをディスプレイ２に表示している状態から、所定時間ユーザからのＴＶユニット１０およびＰＣユニット２０に対する操作を受け付けないとき、ＴＶユニット１０もスタンバイモードに移行するようになっていてもよい。
【０１５３】
ここで、ＰＣユニット２０のスクリーンセーブモードからスタンバイモードへの移行は、制御部１９がスタンバイモードにおいて動作しないハードウェアへの電力供給を遮断する指示をすることにより行われる。すなわち、ＰＣユニット２０への電力供給は、ＴＶユニット１０側により制御される。例えば、コンテンツ処理部２１、コンテンツ取得部２２、コンテンツ送信部２３、アプリケーション実行部２８として機能するハードウェアおよび記憶部２４に対する電力の供給を遮断することにより、ＰＣユニット２０をスタンバイモードへ移行させる。ＰＣユニット２０のスタンバイモードから通常モードへの復帰は、制御部１９がスタンバイモードにおいて動作しないハードウェアへの電力供給を開始することにより行われる。
【０１５４】
また、ＰＣユニット２０がスタンバイモードに移行した後、ＴＶユニット１０に生じるイベントに基づいて、ユーザがＰＣユニット２０を操作する可能性がある場合に、ＰＣユニット２０を通常モードに復帰させるようにしてもよい。例えば、ＴＶユニット２０が受信するＴＶコンテンツにおいて、ＣＭが放送される時間帯（例えば１５分毎）にＰＣユニット２０を通常モードに復帰させてもよいし、ユーザがリモコン９を介してＴＶコンテンツのチャンネルを選局するタイミングをトリガーとして、ＰＣユニット２０を通常モードに復帰させてもよい。
【０１５５】
次に、ＰＣユニット２０がスクリーンセーブモードからスタンバイモードに移行したときのディスプレイ２に表示される映像の切り替え処理の他の態様について、図１３（ａ）〜（ｃ）および図１４を参照して説明する。図１３（ａ）〜（ｃ）は、ＰＣユニット２０がスクリーンセーブモードからスタンバイモードに移行したときのディスプレイ２に表示される映像の遷移を示す模式図あり、図１４は、ディスプレイ２に表示される映像の切り替え処理を示すシーケンス図である。
【０１５６】
図１３（ａ）は、ＴＶ映像１００の大画面の周囲に、ＰＣユニット２０がスクリーンセーブモードであることを示すＰＣ映像２００の小画面を表示させたＰＣ内蔵テレビ１のディスプレイ２を示している。そして、ＰＣユニット２０に対するマウス５、キーボード６またはリモコン９によるユーザの操作入力を、ユーザ入力部１７またはユーザ入力部２６がさらに所定時間受け付けないとき、ＰＣユニット２０はスクリーンセーブモードからスタンバイモードに移行する。このとき図１３（ｂ）に示すように、ディスプレイ２には、ＴＶ映像１００の大画面の周囲に、ＰＣユニット２０がスタンバイモードであることを示すＰＣ映像２００の小画面が表示される。そして、ユーザからのＰＣユニット２０を操作する操作入力をユーザ入力部１７が受け付けたとき、制御部１９は、図１３（ｃ）に示すように、ＴＶ映像１００とＰＣ映像２００とをディスプレイ２に同時表示するように、映像出力部１１を制御する。
【０１５７】
図１３（ａ）〜（ｃ）に示すような映像の切り替え処理について、図１４を参照して説明する。まず、ＰＣ内蔵テレビ１には、ＴＶ映像１００の大画面の周囲に、ＰＣユニット２０がスクリーンセーブモードであることを示すＰＣ映像２００の小画面が表示されている（ステップＳ４０）。そして、ＰＣユニット２０に対するマウス５、キーボード６またはリモコン９からのユーザの操作入力を、ユーザ入力部１７またはユーザ入力部２６が所定時間受け付けないとき、ＰＣユニット２０の動作モード送信部３２からＴＶユニット１０の動作モード受信部３１に、ＰＣユニット２０がスタンバイモードに移行したことを示す動作モード情報が通知され、ＰＣユニット２０がスタンバイモードに移行する（ステップＳ４１）。
【０１５８】
動作モード受信部３１が当該動作モード情報を受信したとき、制御部１９は映像出力部１１に対して、ＴＶ映像１００の大画面の周囲に、ＰＣユニット２０がスタンバイモードであることを示す映像をＰＣ映像２００として、小画面で表示するように指示する。ＴＶ映像１００の大画面の周囲に、ＰＣユニット２０がスタンバイモードであることを示す映像をＰＣ映像２００として表示しているＰＣ内蔵テレビ１において（ステップＳ４２）、ユーザからのリモコン９によるＰＣユニット２０に対する操作入力をユーザ入力部１７が受け付けたとき、制御情報通信部１８は、スタンバイモードからの復帰要求を示す信号を制御情報通信部２５に送信する。
【０１５９】
制御情報通信部２５が当該信号を受信したとき、動作モード送信部３２は、ＰＣユニット２０がスタンバイモードから復帰したことを示す動作モード情報をＴＶユニット１０に送信し、スタンバイモードから復帰する（ステップＳ４３）。そして、ＰＣユニット２０がスタンバイモードから復帰したことを示す動作モード情報を動作モード受信部３１が受信したとき、制御部１９は映像出力部１１に対して、ＴＶ映像１００とＰＣ映像２００とを同時表示するように指示し、ディスプレイ２にＴＶ映像１００とＰＣ映像２００とが同時表示される（ステップＳ４４）。
【０１６０】
（動作モードの表示形態）
ここで、ディスプレイ２に表示されるＴＶ映像１００およびＰＣ映像２００の表示形態について、図１５〜１７を参照して説明する。図１５〜１７はそれぞれ、ディスプレイ２に表示されるＴＶ映像１００およびＰＣ映像２００の表示形態を、ＰＣユニット２０の動作モード毎に示す図である。
【０１６１】
図１５（ａ）〜（ｃ）に示すように、ＰＣ映像２００をＴＶ映像１００の周囲に表示させてもよい。この場合、ＴＶ映像１００を全画面表示するときよりも縮小させる。図１５（ａ）は、ＰＣユニット２０が通常モードで動作しているときのディスプレイ２の表示形態を示しており、通常モードで取得されるＰＣ映像２００が、ＴＶ映像１００の周囲に表示される。図１５（ｂ）は、ＰＣユニット２０がスクリーンセーブモードであるときのディスプレイ２の表示形態を示しており、ＰＣユニット２０がスクリーンセーブモードであることを示す映像がＰＣ映像２００として、ＴＶ映像１００の周囲に表示される。図１５（ｃ）は、ＰＣユニット２０がスタンバイモードであるときのディスプレイ２の表示形態を示しており、ＰＣユニット２０がスタンバイモードであることを示す映像がＰＣ映像２００として、ＴＶ映像１００の周囲に表示される。
【０１６２】
また、図１６（ａ）〜（ｃ）に示すように、ＰＣ映像２００をＴＶ映像１００の長手方向の両端に表示させてもよい。このように表示させるのは、ディスプレイ２が２１：９であるときに特に有効である。図１６（ａ）は、ＰＣユニット２０が通常モードで動作しているときのディスプレイ２の表示形態を示しており、通常モードで取得されるＰＣ映像２００が、ＴＶ映像１００の両端に表示される。図１６（ｂ）は、ＰＣユニット２０がスクリーンセーブモードであるときのディスプレイ２の表示形態を示しており、ＰＣユニット２０がスクリーンセーブモードであることを示す映像がＰＣ映像２００として、ＴＶ映像１００の両端に表示される。図１６（ｃ）は、ＰＣユニット２０がスタンバイモードであるときのディスプレイ２の表示形態を示しており、ＰＣユニット２０がスタンバイモードであることを示す映像がＰＣ映像２００として、ＴＶ映像１００の両端に表示される。
【０１６３】
ここで、映像出力部１１は、ＰＣ映像２００の表示形式が、ＴＶ映像１００の表示形式とは異なるようにディスプレイに表示してもよい。例えば、ＴＶ映像１００とＰＣ映像２００とで、表示サイズ、輝度および配色が異なるようにディスプレイ２に表示してもよい。また、ＰＣ映像２００をぼかし処理してディスプレイ２に表示することによって、ＴＶ映像１００の表示形式とＰＣ映像２００の表示形式とを異ならせてもよい。
【０１６４】
さらに、図１７（ａ）〜（ｃ）に示すように、ＰＣユニット２０の動作モードを示す文字列を含む映像をＰＣ映像２００として、ＴＶ映像１００の上端部にＯＳＤ表示してもよい。図１７（ａ）は、ＰＣユニット２０が通常モードで動作しているときのディスプレイ２の表示形態を示しており、「ＰＣ起動」の文字列を含む映像をＰＣ映像２００として、ＴＶ映像１００の上端部にＯＳＤ表示する。図１７（ｂ）は、ＰＣユニット２０がスクリーンセーブモードであるときのディスプレイ２の表示形態を示しており、「ＰＣアイドル」の文字列を含む映像をＰＣ映像２００として、ＴＶ映像１００の上端部にＯＳＤ表示する。図１７（ｃ）は、ＰＣユニット２０がスタンバイモードであるときのディスプレイ２の表示形態を示しており、「ＰＣスタンバイ」の文字列を含む映像をＰＣ映像２００として、ＴＶ映像１００の上端部にＯＳＤ表示する。なお、ＰＣユニット２０の動作モードを示す文字列を含む映像は、動作モード毎に背景色が異なるように表示してもよい。
【０１６５】
また、ディスプレイ２において、ＴＶ映像１００の視聴を妨げない位置に、ＰＣユニット２０の動作モードを示すアイコンを表示したり、ＰＣユニット２０の動作モードを示す文字列をスクロール表示したりしてもよい。このように、ＰＣ内蔵テレビ１は、ユーザがＴＶモード（ディスプレイ２にＴＶ映像１００のみが表示されている）を選択中であっても、ＰＣユニット２０の動作モードを監視できるように、ディスプレイ２の表示が制御される。
【０１６６】
なお、図１８（ａ）〜（ｃ）に示すように、ディスプレイ２にＴＶ映像１００のみを表示し、ＰＣユニット２０の動作モードをＬＥＤ表示部１７０に表示してもよい。図１８（ａ）〜（ｃ）は、ＰＣユニット２０の動作モードの表示形態を、動作モード毎に示す図である。
【０１６７】
図１８（ａ）は、ＰＣユニット２０が通常モードで動作しているときのディスプレイ２およびＬＥＤ表示部１７０を示しており、ディスプレイ２にはＴＶ映像１００が全画面表示され、ＬＥＤ表示部１７０はＰＣユニット２０が通常モードであることを示すように、例えば青色に表示されている。図１８（ｂ）は、ＰＣユニット２０がスクリーンセーブモードであるときのディスプレイ２およびＬＥＤ表示部１７０を示しており、ディスプレイ２にはＴＶ映像１００が全画面表示され、ＬＥＤ表示部１７０はＰＣユニット２０がスクリーンセーブモードであることを示すように、例えば黄色に表示されている。図１８（ｃ）は、ＰＣユニット２０がスタンバイモードであるときのディスプレイ２およびＬＥＤ表示部１７０を示しており、ディスプレイ２にはＴＶ映像１００が全画面表示され、ＬＥＤ表示部１７０はＰＣユニット２０がスタンバイモードであることを示すように、例えば赤色に表示されている。
【０１６８】
（アプリケーションの起動処理）
次に、ＰＣユニット２０がスタンバイモードから復帰するときに、ＰＣユニット２０の記憶部２４に記憶されている特定のアプリケーションを起動する場合の処理について、図１９を参照して説明する。図１９は、ＰＣユニット２０がスタンバイモードから復帰するときに特定のアプリケーションを起動する処理を示すシーケンス図である。
【０１６９】
図１９に示すように、ＰＣユニット２０は、スクリーンセーブモードからスタンバイモードに移行するとき、スタンバイモードに移行することを通知する動作モード情報を動作モード送信部３２からＴＶユニット１０に送信する前に、スタンバイモードからの復帰時に起動するアプリケーションを通知するアプリケーション情報を、制御情報通信部２５が制御情報通信部１８に送信する。そして、動作モード送信部３２から、スタンバイモードに移行することを通知する動作モード情報を動作モード受信部３１に送信し、ＰＣユニット２０はスタンバイモードに移行する（ステップＳ５０）。
【０１７０】
ここで、ＰＣユニット２０は、アプリケーション情報と共に、スタンバイモードからの復帰のトリガーとなるＴＶユニット１０のイベントをトリガー情報として、ＴＶユニット１０に送信してもよい。トリガー情報は、ＴＶユニット側で生じたイベントをトリガーとして、ＰＣユニット２０をスタンバイモードから復帰させるための情報であり、制御部１９は、トリガー情報によって通知されたトリガーとなるイベントがＴＶユニットに生じたとき、ＰＣユニット２０をスタンバイモードから復帰させる制御情報を制御情報通信部１８から制御情報通信部２５に送信する。本実施形態においては、ＴＶユニット１０のコンテンツ取得部１５がＥＰＧを取得し、映像出力部１１が当該ＥＰＧをディスプレイ２に表示したことをトリガーとする。
【０１７１】
そして、コンテンツ取得部１５がＥＰＧを取得したとき、制御情報通信部１８は、スタンバイモードからの復帰要求を示す信号を制御情報通信部２５に送信する。制御情報通信部２５が当該信号を受信したとき、動作モード送信部３２は、ＰＣユニット２０がスタンバイモードから復帰したことを示す動作モード情報をＴＶユニット１０に送信し、スタンバイモードから復帰する（ステップＳ５１）。
【０１７２】
制御部１９は、ＰＣユニット２０のスタンバイモードへの移行前に受信したアプリケーション情報に基づいて、当該アプリケーションを起動するための制御情報を制御情報通信部１８から制御情報通信部２５に送信する。制御情報通信部２５が当該制御情報を受信したとき、アプリケーション実行部２８は制御情報により指定されたアプリケーションを起動する（ステップＳ５２）。そして、制御部１９は、映像出力部１１にディスプレイ２にＴＶ映像１００とＰＣ映像２００とを同時表示するように指示し、ディスプレイ２にＴＶ映像１００とＰＣ映像２００とが同時表示される（ステップＳ５３）。
【０１７３】
ここで、ＰＣユニット２０がスタンバイモードから復帰したときに、事前に解析したユーザの嗜好に合ったＴＶコンテンツを取得するための取得情報をＴＶユニットに送信するようなアプリケーションを起動してもよい。この場合、当該アプリケーションは、ユーザの嗜好にあったＴＶコンテンツをコードする放送波を送信するチャンネルのリンク情報を制御情報通信部２５から制御情報通信部１８に送信する。制御情報通信部１８がリンク情報を受信したとき、当該リンク情報に該当するチャンネルの放送波をコンテンツ取得部１５で受信し、受信した放送波をコンテンツ処理部１３においてデコードする。そして映像出力部１１は、得られたコンテンツに含まれるＴＶ映像１００をディスプレイ２に表示する。
【０１７４】
（ＰＣモードからの切り替え）
次に、ＴＶユニット１０に生じたイベントに伴って、ＰＣモード（ＰＣ映像２００のみをディスプレイ２に表示するモード）から同時表示モードに切り替える場合の処理について、図２０を参照して説明する。図２０は、ＴＶユニット１０に生じたイベントに伴って、ディスプレイの表示をＰＣ映像表示モードから同時表示モードに切り替える処理を示すシーケンス図である。
【０１７５】
初めに、ＴＶユニット１０がスタンバイモードであり、ＰＣユニット２０が通常モードで動作しているＰＣ内蔵テレビ１（ステップＳ６０）に対して、ユーザは予めリモコン９からＴＶ映像１００の視聴開始予約時刻（表示開始時刻）を表す操作入力をユーザ入力部１７に行う。制御情報通信部２５は、当該操作入力を表す操作信号（第１の入力信号）を制御情報通信部１８に送信する。このとき、ディスプレイ２にはＰＣ映像２００のみが表示されている。
【０１７６】
そして、制御部１９は、上記視聴開始予約時刻に、視聴開始予約時刻を通知する文字列を含む開始時刻通知映像をＴＶ映像１００として生成するようにコンテンツ処理部１３に指示し、生成したＴＶ映像１００の小画面とＰＣ映像２００の大画面を同時表示するように映像出力部１１に指示する。映像出力部１１は、ＴＶ映像１００として、視聴開始予約時刻を通知する文字列を含む映像の小画面と、ＰＣ映像２００の大画面をディスプレイ２に表示する（ステップＳ６１）。ここで、視聴開始予約時刻を通知する文字列を含む映像は、例えば、「ＴＶ視聴開始予約時刻になりました」のような文字列を表示する映像である。
【０１７７】
ユーザからのＴＶ映像１００の視聴を開始することを表す操作入力を、マウス５またはキーボード６からユーザ入力部２６が受け付けたとき、制御情報通信部２５は、ＴＶ映像１００の表示要求を表す信号（第２の入力信号）を制御情報通信部１８に送信する。制御情報通信部１８が当該信号を受け付けたとき、制御部１９は、ＴＶユニット１０をスタンバイモードから復帰させ（ステップＳ６２）、映像出力部１１にＴＶ映像１００とＰＣ映像２００とを同時表示するように指示する。そして、映像出力部１１は、ディスプレイ２にＴＶ映像１００とＰＣ映像２００とを同時表示する（ステップＳ６３）。
【０１７８】
なお、ＴＶユニット１０の通常モードからスタンバイモードへの移行は、制御部１９がスタンバイモードにおいて動作しないハードウェアへの電力供給を遮断する指示することにより行われる。例えば、コンテンツ処理部１３およびコンテンツ取得部１５として機能するハードウェアに対する電力の供給を遮断することにより、ＴＶユニット１０をスタンバイモードへ移行させる。ＴＶユニット１０のスタンバイモードから通常モードへの復帰は、制御部１９がスタンバイモードにおいて動作しないハードウェアへの電力供給を開始することにより行われる。また、ＴＶユニット１０がスタンバイモードに移行してから、さらに所定時間以上、外部からの入力信号を受け付けないとき、ＴＶユニット１０において、ユーザ入力部１７として機能するハードウェアに対する電力の供給も遮断するようにしてもよい。このようなＴＶユニット１０のスタンバイモード等においても動作するハードウェアは、ＴＶユニット１０に備えられているサブマイコンにより制御されることになる。
【０１７９】
ＴＶユニット１０に生じるイベントとしては、上述した視聴開始予約時刻以外にも、例えば、ＴＶユニット１０においてユーザの視聴傾向データ（ユーザのＴＶの視聴時間、視聴チャンネル等の傾向）を予め取得し、ユーザが高頻度で同一チャンネルを視聴している時間をイベントとして、同時表示モードへ移行するトリガーとしてもよい。視聴傾向データを取得する場合の、視聴頻度のレベルは、ユーザが適宜設定できるようにしてもよい。
【０１８０】
（ＰＣ内蔵テレビ１の利点）
以上説明したように、ＰＣ内蔵テレビ１では、ＴＶユニット１０とＰＣユニット２０とは制御情報を通じて互いに連携して動作する。そして映像出力部１１は、ＴＶユニット１０が生成したＴＶ映像１００およびＰＣユニット２０が生成したＰＣ映像２００の少なくともいずれか一方をディスプレイ２に表示する。ここでＴＶユニット１０は、ＰＣユニット２０の動作モード送信部３２から送信された、ＰＣユニット２０の動作モードを表す動作モード情報を動作モード受信部３１において受信し、受信した動作モード情報に基づいて、ＰＣ映像２００の生成を制御するための制御情報を制御情報通信部１８から制御情報通信部２５に送信する。そして、コンテンツ処理部２１は、この制御情報に基づいてＰＣ映像２００を生成する。
【０１８１】
すなわち、ＰＣユニット２０の動作モードをＴＶユニット１０において監視し、ＰＣユニット２０の動作モードに基づいて生成した映像をディスプレイ２に表示するので、ユーザによるＰＣユニットの動作モードの把握が容易であり、ユーザの操作性を向上させることができる。また、ＴＶユニット１０とＰＣユニット２０との親和性を高め、ＴＶユニット１０の操作によって両者を連携して動作させることができる。
【０１８２】
（付記事項）
本発明に係るＰＣ内蔵テレビは、ＰＣユニットがＰＣ内蔵テレビから着脱可能な構成であってもよい。ＰＣユニットがＰＣ内蔵テレビから着脱可能なＰＣ内蔵テレビについて図２１（ａ）および（ｂ）ならびに図２２を参照しつつ以下に説明する。
【０１８３】
図２１（ａ）および（ｂ）は、ＰＣ内蔵テレビ１ａの外観を示す図であり、（ａ）は、着脱可能なＰＣユニット２０ａがＴＶユニット１０ａに装着された後のＰＣ内蔵テレビ１ａを表示画面側から見た場合の外観を示す図であり、（ｂ）は、着脱可能なＰＣユニット２０ａがＴＶユニット１０ａに装着される前のＰＣ内蔵テレビ１ａを背面側から見た場合の外観を示す図である。
【０１８４】
この図に示すように、ＰＣ内蔵テレビ１ａは、ＴＶユニット１０ａおよびＰＣユニット２０ａによって構成されている。この点においては、ＰＣ内蔵テレビ１と何ら変わりはない。しかし、ＰＣ内蔵テレビ１ａでは、ＰＣユニット２０ａがＰＣ内蔵テレビ１ａから着脱可能である。したがって、ＰＣ内蔵テレビ１の拡張性および保守性を高めることができる。なお、装着を解除した後、ＴＶユニット１０ａおよびＰＣユニット２０ａは、それぞれ単独で利用することができる。
【０１８５】
ＰＣユニット２０ａには、図２１（ａ）に示すように、複数の外部端子１５１〜１５３が設けられている。外部端子１５１〜１５３としては、具体的には、イーサネット（登録商標）端子、ＵＳＢ端子、および映像／音声入出力端子などを挙げることができる。また、図２１（ｂ）に示すように、ＰＣユニット２０ａには、ＴＶユニット１０ａと信号をやり取りするための外部端子１５４〜１５６も設けられている。外部端子１５４〜１５６としては、具体的には、映像信号（ＨＤＭＩ信号を含むＳＤＶＯ：Ｓｅｒｉａｌ  Ｄｉｇｉｔａｌ  Ｖｉｄｅｏ  ＯｕｔＰｕｔ）端子、制御信号端子、および電源端子などを挙げることができる。これらの端子があることによって、ＰＣユニット２０ａとＴＶユニット１０ａとの間で、映像信号、制御信号、および電源信号を互いに送受信できる。なお、上述した端子に加えて音声信号端子を設け、音声信号を互いに送受信することも当然に可能である。
【０１８６】
ＰＣユニット２０ａは単体で動作可能であり、製品として成り立つ。回路および配線はＰＣユニット２０ａの内部に全て収められ、外部には一切むき出しにされていない。ＴＶユニット１０ａも同様である。したがって両者の接続時に配線の手間が一切不要である。すなわち、ＰＣユニット２０ａをＴＶユニット１０ａに取り付ける場合には、ユーザはＰＣユニット２０ａをＴＶユニット１０ａに設けられているＰＣユニット装着部位に取り付ければよい。ＰＣ内蔵テレビ１ａでは、ＰＣユニット２０ａをＴＶユニット１０ａに装着する手順が非常に容易であると換言することができる。
【０１８７】
ＰＣ内蔵テレビ１ａから外したＰＣユニット２０ａは、周辺機器に接続させることによって、様々な用途に活用できる。例えば、モニタと接続可能なクレードルに、取り外したＰＣユニット２０ａを装着する。こうすれば、ＰＣユニット２０ａをデスクトップコンピュータとして使用できる。なお、ＰＣユニット２０ａとクレードルとを接続する端子としては、他にもイーサネット（登録商標）端子、およびシリアルポート端子を利用することができる。
【０１８８】
図２２は、ＰＣ内蔵テレビ１ａの要部構成を示すブロック図である。この図に示すように、ＴＶユニット１０ａのコンテンツ取得部１５は、アンテナ４を通じての他、記録ディスク７からも、インターネット８を通じてからも、また外部機器（外部記憶装置）１６０からも、再生対象のコンテンツを取得できる。すなわち、ＴＶユニット１０ａが処理するコンテンツは、放送番組に限らず、例えばテキスト、映像、音声、動画等のコンテンツも該当し、さらにこれらの組み合わせからなるマルチメディアコンテンツも該当する。他にも、ウェブページも含まれる。
【０１８９】
以上のように、ＰＣユニット２０ａは周辺機器を活用した拡張性を有しており、従来の汎用コンピュータに比べて活用の幅が広い。また、仮にＰＣユニット２０ａをＴＶユニット１０ａから離脱させた状態でも、あるいはＰＣユニット２０ａが故障した場合でも、ＴＶユニット１０ａ単独で、放送番組および各種のコンテンツを外部から取得することができる。
【０１９０】
また、ＰＣ内蔵テレビ１を構成するＰＣユニット２０は１つに限定されるものではなく、複数であってもよい。本発明に係る映像表示装置における第２の映像生成ユニットが、ＰＣユニットである場合を例に挙げて説明しているが、これに限定されるものではない。第２の映像生成ユニットとしては、ＰＣユニット以外にも例えば、光ディスク再生（録画）ユニット、およびハードディスクレコーダユニットであってもよい。また、本発明に係る映像表示装置において第２の映像生成ユニットが複数備えられている場合には、第２の映像生成ユニットが互いに異なる種類のユニットであってもよい。
【０１９１】
（プログラムおよび記録媒体）
最後に、ＰＣ内蔵テレビ１を構成するＴＶユニット１０およびＰＣユニット２０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１９２】
すなわちＴＶユニット１０およびＰＣユニット２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１９３】
この記録媒体は、上述した機能を実現するソフトウェアであるＴＶユニット１０およびＰＣユニット２０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのＴＶユニット１０およびＰＣユニット２０（またはＣＰＵやＭＰＵ）が、供給された記録媒体に記録されているプログラムコードを読み出し、実行すればよい。
【０１９４】
プログラムコードをＴＶユニット１０およびＰＣユニット２０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１９５】
また、ＴＶユニット１０およびＰＣユニット２０を通信ネットワークと接続可能に構成しても、本発明の目的を達成できる。この場合、上記のプログラムコードを、通信ネットワークを介してＴＶユニット１０およびＰＣユニット２０に供給する。この通信ネットワークはＴＶユニット１０およびＰＣユニット２０にプログラムコードを供給できるものであればよく、特定の種類または形態に限定されない。例えばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１９６】
この通信ネットワークを構成する伝送媒体も、プログラムコードを伝送可能な任意の媒体であればよく、特定の構成または種類のものに限定されない。例えばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１９７】
なお、ＰＣ内蔵テレビ１ａを構成する各ブロックにおいても同様である。
【産業上の利用可能性】
【０１９８】
本発明に係る映像表示装置は、ＰＣユニットを内蔵したテレビジョン受像機として好適に利用することができる。
【符号の説明】
【０１９９】
１、１ａ      ＰＣ内蔵テレビ（映像表示装置）
２            ディスプレイ
３            スピーカ
４            アンテナ
５            マウス
６            キーボード
７            記録ディスク
８            インターネット
９            リモコン
１０、１０ａ  ＴＶユニット（第１のユニット）
１１          映像出力部（映像表示手段）
１２          音声出力部
１３          コンテンツ処理部（第１の映像生成手段）
１４          コンテンツ合成部
１５          コンテンツ取得部（放送波受信手段）
１６          コンテンツ受信部（映像受信手段）
１７          ユーザ入力部（第１の入力信号受信手段）
１８          制御情報通信部（制御情報送信手段、操作信号受信手段）
１９          制御部
２０、２０ａ  ＰＣユニット（第２のユニット）
２１          コンテンツ処理部（第２の映像生成手段）
２２          コンテンツ取得部
２３          コンテンツ送信部（映像送信手段）
２４          記憶部
２５          制御情報通信部（制御情報受信手段、操作信号送信手段）
２６          ユーザ入力部（第２の入力信号受信手段）
２７          制御部
２８          アプリケーション実行部（実行手段）
３１          動作モード受信部（動作モード受信手段）
３２          動作モード送信部（動作モード送信手段）
１５０        電源
１７０        ＬＥＤ表示部（動作モード表示手段）
【図１】
0005449877.tif 000002
【図２】
0005449877.tif 000003
【図３】
0005449877.tif 000004
【図４】
0005449877.tif 000005
【図５】
0005449877.tif 000006
【図６】
0005449877.tif 000007
【図７】
0005449877.tif 000008
【図８】
0005449877.tif 000009
【図９】
0005449877.tif 000010
【図１０】
0005449877.tif 000011
【図１１】
0005449877.tif 000012
【図１２】
0005449877.tif 000013
【図１３】
0005449877.tif 000014
【図１４】
0005449877.tif 000015
【図１５】
0005449877.tif 000016
【図１６】
0005449877.tif 000017
【図１７】
0005449877.tif 000018
【図１８】
0005449877.tif 000019
【図１９】
0005449877.tif 000020
【図２０】
0005449877.tif 000021
【図２１】
0005449877.tif 000022
【図２２】
0005449877.tif 000023